(57)【特許請求の範囲】
【請求項１】
過負荷制御方法であって、
第一過負荷指示情報をゲートウェイ装置によって決定するステップであって、前記第一過負荷指示情報は過負荷制御ポリシーを指示するために使用され、前記過負荷制御ポリシーは、モビリティ管理プロセスにおいて信号を遅延させるステップ、サービス要求プロセスにおいて信号を遅延させるステップ、またはセッション管理プロセスにおいて信号を遅延させるステップを備える、ステップと、
前記第一過負荷指示情報を前記ゲートウェイ装置によってモビリティ管理エンティティに送信するステップであって、前記第一過負荷指示情報は、前記過負荷制御ポリシーに関連付けられた指示または過負荷状態情報を備え、前記第一過負荷指示情報は、過負荷制御率をさらに備え、
遅延タイマが切れる前に前記モビリティ管理エンティティが前記過負荷制御率にしたがって、前記指示または前記過負荷状態情報に関連付けられた前記過負荷制御ポリシーを実行するように、前記第一過負荷指示情報に含まれる前記遅延タイマに関する情報が前記ゲートウェイ装置によって前記モビリティ管理エンティティに送信される、ステップを備える、
方法。
【請求項２】
ゲートウェイ装置であって、
第一過負荷指示情報を決定する決定モジュールであって、前記第一過負荷指示情報は過負荷制御ポリシーを指示するために使用され、過負荷制御ポリシーは、初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを備える、決定モジュールと、
前記第一過負荷指示情報をモビリティ管理エンティティに送信し、前記第一過負荷指示情報は、前記過負荷制御ポリシーに関連付けられた指示または過負荷状態情報を備え、前記第一過負荷指示情報は、過負荷制御率をさらに備え、かつ、遅延タイマが切れる前に、前記モビリティ管理エンティティが前記過負荷制御率にしたがって前記指示または前記過負荷状態情報に関連付けられた前記過負荷制御ポリシーを実行するように、前記第一過負荷指示情報に含まれる遅延タイマに関する情報が前記ゲートウェイデバイスによって、前記モビリティ管理エンティティに送信されるように構成された送信モジュールと、を備えるゲートウェイ装置。
【発明の詳細な説明】
【技術分野】
【０００１】
本発明は通信分野に関し、より具体的には、過負荷制御方法、ゲートウェイ装置、モビリティ管理エンティティ、およびパケットデータネットワークゲートウェイ（Packet Data Network Gateway, PGW）に関する。
【背景技術】
【０００２】
実際のネットワーク展開において、各ネットワーク装置は複数の別のノード装置に接続されてもよい。たとえば、サービングゲートウェイ（Serving Gateway, SGW）は、複数のモビリティ管理エンティティに接続されるか、または複数のPGWに接続される。端末装置がネットワークにアクセスして通信を行うために通信ネットワークを使用するプロセスは、複雑である。まず、電源オンとともに端末装置がネットワークにアクセスするプロセスはアタッチプロセスであり、アタッチプロセスがうまく完了した後、端末装置はネットワークにアクセスする。その後、端末装置が通信を行うためにネットワークリソースを使用するとき、データ送信を実施するように、ベアラリソースが確立されなければならない。次に、ベアラを確立するプロセスが行われる必要がある。通信プロセスにおいてベアラリソースのサービス品質（Quality of Service, QoS）が修正される必要がある場合、どうにかして、ベアラリソースを修正するプロセスが行われなければならない。加えて、ユーザが長時間いわたって通信を行うために端末装置を使用しないとき、端末装置はアイドル状態に切り替わってもよく、ユーザが音声通話またはインターネットサーフィンなどのサービスを再開する場合、端末装置はサービス要求プロセスを開始して、アイドル状態から接続状態に切り替わる。実際の通信プロセスはかなり複雑であり、たとえば分離プロセスまたは位置報告などのイベント報告プロセスなど、多くのプロセスを含む。
【０００３】
たとえば大量のユーザがいくつかの輸送ツール上で移動するなどの、いくつかのシナリオにおいて、大量のユーザはアタッチプロセスを同時に開始する可能性がある；するとSGWとPGWとの間で大量のセッション生成要求／応答（セッション生成応答）メッセージが作成され、あるいは大量のユーザが同時にサービス要求（Service Request）プロセスを開始する。これに応えて、プロセスは、モビリティ管理エンティティ（Mobility Management Entity, MME）とSGWとの間で大量のベアラ修正要求（modify bearer request）メッセージを起動し、またSGWとPGWとの間でいくつかの信号も起動する。次に、このシナリオにおいて、装置過負荷が生じる可能性があり、MMEの過負荷、SGWの過負荷、PGWの過負荷などがあるかも知れない。一方、装置負荷が不均衡となる問題も生じる可能性がある；たとえば、いくつかの装置は負荷が重いのに、別の装置は負荷が軽くなる。
【発明の概要】
【０００４】
本発明の実施形態は、装置過負荷を効率的に制御できる、過負荷制御方法、ゲートウェイ装置、モビリティ管理エンティティ、およびPGWを提供する。
【課題を解決するための手段】
【０００５】
第一の態様によれば、過負荷制御方法が提供され、前記方法は：第一過負荷指示情報をゲートウェイ装置によって決定するステップであって、前記第一過負荷指示情報は過負荷制御ポリシーを指示するために使用される、ステップと；モビリティ管理エンティティが前記第一過負荷指示情報にしたがって前記過負荷制御ポリシーを実行するように、前記第一過負荷指示情報を前記ゲートウェイ装置によって前記モビリティ管理エンティティに送信するステップと、を含む。
【０００６】
第一の可能な実施方法において、第一過負荷指示情報をゲートウェイ装置によって決定する前記ステップの前に、前記方法は：前記モビリティ管理エンティティによって送信された第一制御要求メッセージを前記ゲートウェイ装置によって受信するステップをさらに含み；前記第一過負荷指示情報をゲートウェイ装置によって決定する前記ステップは：前記ゲートウェイ装置の負荷状態にしたがって前記第一過負荷指示情報を前記ゲートウェイ装置によって決定するステップを含み；前記第一過負荷指示情報を前記ゲートウェイ装置によって前記モビリティ管理エンティティに送信する前記ステップは：第一制御応答メッセージを前記ゲートウェイ装置によって前記モビリティ管理エンティティに送信するステップであって、前記第一制御応答メッセージは前記第一過負荷指示情報を担持する、ステップを含む。
【０００７】
第二の可能な実施方法において、第一過負荷指示情報をゲートウェイ装置によって決定する前記ステップの前に、前記方法は：前記モビリティ管理エンティティによって送信された第一経路検出要求メッセージを前記ゲートウェイ装置によって受信するステップをさらに含み；第一過負荷指示情報をゲートウェイ装置によって決定する前記ステップは：前記ゲートウェイ装置の負荷状態にしたがって前記第一過負荷指示情報を前記ゲートウェイ装置によって決定するステップを含み；前記第一過負荷指示情報を前記ゲートウェイ装置によって前記モビリティ管理エンティティに送信する前記ステップは：第一経路検出応答メッセージを前記ゲートウェイ装置によって前記モビリティ管理エンティティに送信するステップであって、前記第一経路検出応答メッセージは前記第一過負荷指示情報を担持する、ステップを含む。
【０００８】
第一の態様の第一または第二の可能な実施方法を参照すると、第三の可能な実施方法において、前記ゲートウェイ装置の負荷状態にしたがって前記第一過負荷指示情報を前記ゲートウェイ装置によって決定する前記ステップは：前記ゲートウェイ装置の負荷状態および前記ゲートウェイ装置に接続されたモビリティ管理エンティティの信号送信状態にしたがって前記第一過負荷指示情報を前記ゲートウェイ装置によって決定するステップを含む。
【０００９】
第四の可能な実施方法において、前記ゲートウェイ装置はSGWであり；第一過負荷指示情報をゲートウェイ装置によって決定する前記ステップの前に、前記方法は：前記モビリティ管理エンティティによって送信された第一制御要求メッセージを前記SGWによって受信するステップと；第二制御要求メッセージを前記SGWによってパケットデータネットワークゲートウェイPGWに送信するステップと；前記PGWによって送信された第二制御応答メッセージを前記SGWによって受信するステップであって、前記第二制御応答メッセージは、前記PGWによって決定され前記過負荷制御ポリシーを指示するために使用される第二過負荷指示情報を担持する、ステップとを、さらに含み；第一過負荷指示情報をゲートウェイ装置によって決定する前記ステップは：前記第一過負荷指示情報として前記第二過負荷指示情報を前記SGWによって決定するステップ、または前記第二過負荷指示情報および前記SGWに接続されたモビリティ管理エンティティの信号状態にしたがって前記第一過負荷指示情報を前記SGWによって決定するステップを含み；前記第一過負荷指示情報を前記ゲートウェイ装置によって前記モビリティ管理エンティティに送信する前記ステップは：第一制御応答メッセージを前記SGWによって前記モビリティ管理エンティティに送信するステップであって、前記第一制御応答メッセージは前記第一過負荷指示情報を担持する、ステップを含む。
【００１０】
第五の可能な実施方法において、前記ゲートウェイ装置はSGWであり；第一過負荷指示情報をゲートウェイ装置によって決定する前記ステップの前に、前記方法は：第二経路検出要求メッセージを前記SGWによってPGWに送信するステップと；前記PGWによって送信された第二経路検出応答メッセージを前記SGWによって受信するステップであって、前記第二経路検出応答メッセージは、前記PGWによって決定され前記過負荷制御ポリシーを指示するために使用される第二過負荷指示情報を担持するステップと、をさらに含み；第一過負荷指示情報をゲートウェイ装置によって決定する前記ステップは：前記第二過負荷指示情報を前記第一過負荷指示情報として前記SGWによって決定するステップ、または前記第二過負荷指示情報および前記SGWに接続されたモビリティ管理エンティティの信号送信状態にしたがって前記第一過負荷指示情報を前記SGWによって決定するステップを含み；前記第一過負荷指示情報を前記ゲートウェイ装置によって前記モビリティ管理エンティティに送信する前記ステップは：第一経路検出メッセージを前記SGWによって前記モビリティ管理エンティティに送信するステップであって、前記第一経路検出メッセージは前記第一過負荷指示情報を担持するステップを含む。
【００１１】
第一の態様、または第一の態様の第一から第五の可能な実施方法のいずれか可能な実施方法を参照すると、第六の可能な実施方法において、前記方法は：遅延タイマが切れる前に前記モビリティ管理エンティティが前記第一過負荷指示情報にしたがって前記過負荷制御ポリシーを実行するように、前記遅延タイマに関する情報を前記ゲートウェイ装置によって前記モビリティ管理エンティティに送信するステップをさらに含む。
【００１２】
第一の態様、または第一の態様の第一から第六の可能な実施方法のいずれか可能な実施方法を参照すると、第七の可能な実施方法において、前記過負荷制御ポリシーは：初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを、含む。
【００１３】
第一の態様または第一の態様の第一から第七の可能な実施方法のいずれか可能な実施方法を参照すると、第八の可能な実施方法において、前記第一過負荷指示情報は、前記過負荷制御ポリシーに関連付けられた指示または過負荷状態情報を含む。
【００１４】
第一の態様の第八の可能な実施方法を参照すると、第九の可能な実施方法において、前記第一過負荷指示情報は、過負荷制御率をさらに含む。
【００１５】
第十の可能な実施方法において、第一過負荷指示情報をゲートウェイ装置によって決定する前記ステップの前に、前記方法は：前記モビリティ管理エンティティによって送信された第一制御信号メッセージを前記ゲートウェイ装置によって受信するステップをさらに含み；第一過負荷指示情報をゲートウェイ装置によって決定する前記ステップは：遅延タイマに関する情報を含む第一制御信号応答メッセージとして前記第一過負荷指示情報を前記ゲートウェイ装置によって決定するステップであって、前記第一過負荷指示情報は、前記過負荷制御ポリシーが同じタイプの第一制御信号を有する信号プロセスを制御していることを表す、ステップを含む。
【００１６】
第一の態様の第十の可能な実施方法を参照すると、第十一の可能な実施方法において、遅延タイマに関する情報を含む第一制御信号応答メッセージとして前記第一過負荷指示情報を前記ゲートウェイ装置によって決定する前記ステップは：前記遅延タイマに関する情報および過負荷制御率を含む前記第一制御信号応答メッセージとして前記第一過負荷指示情報を前記ゲートウェイ装置によって決定するステップを含む。
【００１７】
第二の態様によれば、過負荷制御方法が提供され、前記方法は：ゲートウェイ装置によって送信された第一過負荷指示情報をモビリティ管理エンティティによって受信するステップであって、前記第一過負荷指示情報は過負荷制御ポリシーを指示するために使用される、ステップと；前記第一過負荷指示情報にしたがって前記過負荷制御ポリシーを前記モビリティ管理エンティティによって実行するステップと、を含む。
【００１８】
第一の可能な実施方法において、ゲートウェイ装置によって送信された第一過負荷指示情報をモビリティ管理エンティティによって受信する前記ステップの前に、前記方法は：第一制御要求メッセージを前記モビリティ管理エンティティによって前記ゲートウェイ装置に送信するステップをさらに含み；ゲートウェイ装置によって送信された第一過負荷指示情報をモビリティ管理エンティティによって受信する前記ステップは：前記ゲートウェイ装置によって送信された第一制御応答メッセージを前記モビリティ管理エンティティによって受信するステップであって、前記第一制御応答メッセージは前記第一過負荷指示情報を担持し、前記第一過負荷指示情報は前記ゲートウェイ装置の負荷状態にしたがって前記ゲートウェイ装置によって決定され、または前記第一過負荷指示情報は、前記ゲートウェイ装置の負荷状態および前記ゲートウェイ装置に接続されたモビリティ管理エンティティの信号送信状態にしたがって前記ゲートウェイ装置によって決定されるステップを含む。
【００１９】
第二の可能な実施方法において、ゲートウェイ装置によって送信された第一過負荷指示情報をモビリティ管理エンティティによって受信する前記ステップの前に、前記方法は：第一経路検出要求メッセージを前記モビリティ管理エンティティによって前記ゲートウェイ装置に送信するステップをさらに含み；ゲートウェイ装置によって送信された第一過負荷指示情報をモビリティ管理エンティティによって受信する前記ステップは：前記ゲートウェイ装置によって送信された第一経路検出応答メッセージを前記モビリティ管理エンティティによって受信するステップであって、前記第一経路検出応答メッセージは前記第一過負荷指示情報を担持し、前記第一過負荷指示情報は前記ゲートウェイ装置の負荷状態にしたがって前記ゲートウェイ装置によって決定され、または前記第一過負荷指示情報は、前記ゲートウェイ装置の負荷状態および前記ゲートウェイ装置に接続されたモビリティ管理エンティティの信号送信状態にしたがって前記ゲートウェイ装置によって決定される、ステップを含む。
【００２０】
第三の可能な実施方法において、前記ゲートウェイ装置はSGWであり；ゲートウェイ装置によって送信された第一過負荷指示情報をモビリティ管理エンティティによって受信する前記ステップの前に、前記方法は：前記SGWが、パケットデータネットワークゲートウェイPGWに第二制御要求メッセージを送信し、前記PGWによって送信された第二制御応答メッセージを受信するように、第一制御要求メッセージを前記モビリティ管理エンティティによって前記SGWに送信するステップであって、前記第二制御応答メッセージは、前記PGWによって決定され前記過負荷制御ポリシーを表すために使用される第二過負荷指示情報を担持する、ステップをさらに含み；ゲートウェイ装置によって送信された第一過負荷指示情報をモビリティ管理エンティティによって受信する前記ステップは：前記SGWによって送信された第一制御応答メッセージを前記モビリティ管理エンティティによって受信するステップであって、前記第一制御応答メッセージは前記第一過負荷指示情報を担持し、前記第一過負荷指示情報は、前記SGWによって転送された前記第二過負荷指示情報であり、前記第二過負荷指示情報および前記SGWに接続されたモビリティ管理エンティティの信号送信状態にしたがって前記SGWによって決定される、ステップを含む。
【００２１】
第四の可能な実施方法において、前記ゲートウェイ装置はSGWであり；ゲートウェイ装置によって送信された第一過負荷指示情報をモビリティ管理エンティティによって受信する前記ステップは：前記SGWによって送信された第一経路検出メッセージを前記モビリティ管理エンティティによって受信するステップであって、前記第一経路検出メッセージは前記第一過負荷指示情報を担持し、前記第一過負荷指示情報は、前記SGWによって転送され、PGWによって決定され、前記過負荷制御ポリシーを指示するために使用される、第二過負荷指示情報であり、または前記第一過負荷指示情報は、前記第二過負荷指示情報および前記SGWに接続されたモビリティ管理エンティティの信号送信状態にしたがって前記SGWによって決定される、ステップを含む。
【００２２】
第二の態様、または第二の態様の第一から第四の可能な実施方法のいずれか可能な実施方法を参照すると、第五の可能な実施方法において、前記方法は：前記ゲートウェイ装置によって送信された遅延タイマに関する情報を前記モビリティ管理エンティティによって受信するステップをさらに含み；前記第一過負荷指示情報にしたがって前記過負荷制御ポリシーを前記モビリティ管理エンティティによって実行する前記ステップは：遅延タイマが切れる前に前記第一過負荷指示情報にしたがって前記過負荷制御ポリシーを前記モビリティ管理エンティティによって実行するステップを含む。
【００２３】
第二の態様、または第二の態様の第一から第五の可能な実施方法のいずれか可能な実施方法を参照すると、第六の可能な実施方法において、前記過負荷制御ポリシーは：初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【００２４】
第二の態様、または第二の態様の第一から第六の可能な実施方法のいずれか可能な実施方法を参照すると、第七の可能な実施方法において、前記第一過負荷指示情報は、前記過負荷制御ポリシーに関連付けられた指示または過負荷状態情報を含み；前記第一過負荷指示情報にしたがって前記過負荷制御ポリシーを前記モビリティ管理エンティティによって実行する前記ステップは：前記指示または前記過負荷状態情報に関連付けられた前記過負荷制御ポリシーを前記モビリティ管理エンティティによって実行するステップを含む。
【００２５】
第二の態様の第七の可能な実施方法を参照すると、第八の可能な実施方法において、前記第一過負荷指示情報は過負荷制御率をさらに含み、前記第一過負荷指示情報にしたがって前記過負荷制御ポリシーを前記モビリティ管理エンティティによって実行する前記ステップは：前記過負荷制御率にしたがって前記モビリティ管理エンティティによって、前記指示または前記過負荷状態情報に関連付けられた前記過負荷制御ポリシーを実行するステップを含む。
【００２６】
第九の可能な実施方法において、ゲートウェイ装置によって送信された第一過負荷指示情報をモビリティ管理エンティティによって受信する前記ステップの前に、前記方法は：第一制御信号メッセージを前記モビリティ管理エンティティによって前記ゲートウェイ装置に送信するステップをさらに含み；ゲートウェイ装置によって送信された第一過負荷指示情報をモビリティ管理エンティティによって受信する前記ステップは：前記ゲートウェイ装置によって送信され、遅延タイマに関する情報を含む第一制御信号応答メッセージを、前記モビリティ管理エンティティによって受信するステップであって、前記第一制御信号応答メッセージは第一制御信号と同じタイプを有する信号プロセスを前記過負荷制御ポリシーが制御していることを示唆する、ステップを含み；前記第一過負荷指示情報にしたがって前記過負荷制御ポリシーを前記モビリティ管理エンティティによって実行する前記ステップは：前記第一制御信号と同じタイプを有する信号プロセスを、前記第一制御信号応答メッセージにしたがって前記モビリティ管理エンティティによって制御するステップを含む。
【００２７】
第二の態様の第九の可能な実施方法を参照すると、第十の可能な実施方法において、前記第一制御信号応答メッセージは過負荷制御率をさらに含み；前記第一過負荷指示情報にしたがって前記過負荷制御ポリシーを前記モビリティ管理エンティティによって実行する前記ステップは：前記第一制御信号と同じタイプを有する信号プロセスを、前記過負荷制御率にしたがって前記モビリティ管理エンティティによって制御するステップを含む。
【００２８】
第三の態様によれば、過負荷制御方法が提供され、前記方法は：第二過負荷指示情報をパケットデータネットワークゲートウェイPGWによって決定するステップであって、前記第二過負荷指示情報は過負荷制御ポリシーを指示するために使用される、ステップと；サービングゲートウェイSGWが前記第二過負荷指示情報にしたがって過負荷制御を行うように、前記第二過負荷指示情報を前記PGWによって前記SGWに送信するステップと、を含む。
【００２９】
第一の可能な実施方法において、前記第二過負荷指示情報は、モビリティ管理エンティティに送信されることになっていて前記過負荷制御ポリシーを指示するために使用される第一過負荷指示情報を、前記第二過負荷指示情報にしたがって前記SGWが決定できるようにするために使用され；または前記第二過負荷指示情報は、前記第二過負荷指示情報にしたがって前記過負荷制御ポリシーを前記SGWが実行できるようにするために使用される。
【００３０】
第三の態様、または第三の態様の第一の可能な実施方法を参照すると、第二の可能な実施方法において、第二過負荷指示情報をPGWによって決定する前記ステップの前に、前記方法は：前記SGWによって送信された第二制御要求メッセージを前記PGWによって受信するステップをさらに含み；第二過負荷指示情報をPGWによって決定する前記ステップは：前記PGWの負荷状態にしたがって前記第二過負荷指示情報を前記PGWによって決定するステップを含み；前記第二過負荷指示情報を前記PGWによってサービングゲートウェイSGWに送信する前記ステップは：第二制御応答メッセージを前記PGWによって前記SGWに送信するステップであって、前記第二制御応答メッセージは前記第二過負荷指示情報を担持する、ステップを含む。
【００３１】
第三の態様、または第三の態様の第一の可能な実施方法を参照すると、第三の可能な実施方法において、第二過負荷指示情報をPGWによって決定する前記ステップの前に、前記方法は：前記SGWによって送信された第二経路検出要求メッセージを前記PGWによって受信するステップをさらに含み；第二過負荷指示情報をPGWによって決定する前記ステップは：前記PGWの負荷状態にしたがって前記第二過負荷指示情報を前記PGWによって決定するステップを含み；前記第二過負荷指示情報を前記PGWによってサービングゲートウェイSGWに送信する前記ステップは：第二経路検出応答メッセージを前記PGWによって前記SGWに送信するステップであって、前記第二経路検出応答メッセージは前記第二過負荷指示情報を担持する、ステップを含む。
【００３２】
第三の態様の第二または第三の可能な実施方法を参照すると、第四の可能な実施方法において、前記PGWの負荷状態にしたがって前記第二過負荷指示情報を前記PGWによって決定するステップは：前記PGWの負荷状態および前記PGWに接続されたSGWの信号送信状態にしたがって、前記第二過負荷指示情報を前記PGWによって決定するステップを含む。
【００３３】
第三の態様、または第三の態様の第一から第四の可能な実施方法のいずれか可能な実施方法を参照すると、第五の可能な実施方法において、前記方法は：遅延タイマに関する情報を前記PGWによって前記SGWに送信するステップを、さらに含む。
【００３４】
第三の態様、または第三の態様の第一から第五の可能な実施方法のいずれか可能な実施方法を参照すると、第六の可能な実施方法において、前記過負荷制御ポリシーは：初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【００３５】
第三の態様、または第三の態様の第一から第六の可能な実施方法のいずれか可能な実施方法を参照すると、第七の可能な実施方法において、前記第二過負荷指示情報は、前記過負荷制御ポリシーに関連付けられた指示または過負荷状態情報を含む。
【００３６】
第三の態様の第七の可能な実施方法を参照すると、第八の可能な実施方法において、前記第二過負荷指示情報は、過負荷制御率をさらに含む。
【００３７】
第三の態様、または第三の態様の第一の可能な実施方法を参照すると、第九の可能な実施方法において、第二過負荷指示情報をPGWによって決定する前記ステップの前に、前記方法は：前記SGWによって送信された第二制御信号メッセージを前記PGWによって受信するステップをさらに含み；第二過負荷指示情報をPGWによって決定する前記ステップは：遅延タイマに関する情報を含む第二制御信号応答メッセージとして前記第二過負荷指示情報を前記PGWによって決定するステップであって、前記第二過負荷指示情報は、前記第二制御信号と同じタイプを有する信号プロセスを前記過負荷制御ポリシーが制御していることを示唆する、ステップを含む。
【００３８】
第三の態様の第九の可能な実施方法を参照すると、第十の可能な実施方法において、遅延タイマに関する情報を含む第二制御信号応答メッセージとして前記第二過負荷指示情報を前記PGWによって決定する前記ステップは：前記遅延タイマに関する情報および過負荷制御率を含む前記第二制御信号応答メッセージとして前記第二過負荷指示情報を前記PGWによって決定するステップを含む。
【００３９】
第四の態様によれば、ゲートウェイ装置が提供され、前記ゲートウェイ装置は：第一過負荷指示情報を決定するように構成された決定モジュールであって、前記第一過負荷指示情報は過負荷制御ポリシーを指示するために使用される、決定モジュールと；モビリティ管理エンティティが前記第一過負荷指示情報にしたがって前記過負荷制御ポリシーを実行するように、前記第一過負荷指示情報を前記モビリティ管理エンティティに送信するように構成された送信モジュールと、を含む。
【００４０】
第一の可能な実施方法において、前記ゲートウェイ装置は：前記決定モジュールが前記第一過負荷指示情報を決定する前に、前記モビリティ管理エンティティによって送信された第一制御要求メッセージを受信するように構成された、第一受信モジュールをさらに含み；前記決定モジュールは、前記ゲートウェイ装置の負荷状態にしたがって前記第一過負荷指示情報を決定するように具体的に構成されており；前記送信モジュールは、第一制御応答メッセージを前記モビリティ管理エンティティに送信するように具体的に構成されており、前記第一制御応答メッセージは前記第一過負荷指示情報を担持する。
【００４１】
第二の可能な実施方法において、前記ゲートウェイ装置は：前記決定モジュールが前記第一過負荷指示情報を決定する前に、前記モビリティ管理エンティティによって送信された第一経路検出要求メッセージを受信するように構成された、第二受信モジュールをさらに含み；前記決定モジュールは、前記ゲートウェイ装置の負荷状態にしたがって前記第一過負荷指示情報を決定するように具体的に構成されており；前記送信モジュールは、第一経路検出応答メッセージを前記モビリティ管理エンティティに送信するように具体的に構成されており、前記第一経路検出応答メッセージは前記第一過負荷指示情報を担持する。
【００４２】
第四の態様の第一または第二の可能な実施方法を参照すると、第三の可能な実施方法において、前記決定モジュールは、前記ゲートウェイ装置の前記負荷状態および前記ゲートウェイ装置に接続されたモビリティ管理エンティティの信号送信状態にしたがって前記第一過負荷指示情報を決定するように、具体的に構成されている。
【００４３】
第四の可能な実施方法において、前記ゲートウェイ装置はSGWであり；前記ゲートウェイ装置は：前記決定モジュールが前記第一過負荷指示情報を決定する前に、前記モビリティ管理エンティティによって送信された第一制御要求メッセージを受信するように構成された、第三受信モジュールをさらに含み；前記送信モジュールは、第二制御要求メッセージをパケットデータネットワークゲートウェイPGWに送信するようにさらに構成されており；前記第三受信モジュールは前記PGWによって送信された第二制御応答メッセージを受信するようにさらに構成されており、前記第二制御応答メッセージは、前記PGWによって決定されて前記過負荷制御ポリシーを指示するために使用される第二過負荷指示情報を担持し；前記決定モジュールは：前記第一過負荷指示情報として前記第二過負荷指示情報を決定するように、または前記第二過負荷指示情報および前記SGWに接続されたモビリティ管理エンティティの信号送信状態にしたがって前記第一過負荷指示情報を決定するように、具体的に構成されており；前記送信モジュールは、第一制御応答メッセージを前記モビリティ管理エンティティに送信するように具体的に構成されており、前記第一制御応答メッセージは前記第一過負荷指示情報を担持する。
【００４４】
第五の可能な実施方法において、前記ゲートウェイ装置はSGWであり；前記送信モジュールは：前記決定モジュールが前記第一過負荷指示情報を決定する前に、第二経路検出要求メッセージをPGWに送信するようにさらに構成されており；前記ゲートウェイ装置は：前記PGWによって送信された第二経路検出応答メッセージを受信するように構成された第四受信モジュールであって、前記第二経路検出応答メッセージは、前記PGWによって決定され、前記過負荷制御ポリシーを指示するために使用される、第二過負荷指示情報を担持する、第四受信モジュールをさらに含み；前記決定モジュールは：前記第一過負荷指示情報として前記第二過負荷指示情報を決定するように、または前記第二過負荷指示情報および前記SGWに接続されたモビリティ管理エンティティの信号送信状態にしたがって前記第一過負荷指示情報を決定するように、具体的に構成されており；前記送信モジュールは、第一経路検出メッセージを前記モビリティ管理エンティティに送信するように具体的に構成されており、前記第一経路検出メッセージは前記第一過負荷指示情報を担持する。
【００４５】
第三の態様、または第三の態様の第一から第五の可能な実施方法のいずれか可能な実施方法を参照すると、第六の可能な実施方法において、前記送信モジュールは、遅延タイマが切れる前に、前記モビリティ管理エンティティが前記第一過負荷指示情報にしたがって前記過負荷制御ポリシーを実行するように、遅延タイマに関する情報を前記モビリティ管理エンティティに送信するように、さらに構成されている。
【００４６】
第三の態様、または第三の態様の第一から第六の可能な実施方法のいずれか可能な実施方法を参照すると、第七の可能な実施方法において、前記過負荷制御ポリシーは：初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【００４７】
第三の態様、または第三の態様の第一から第七の可能な実施方法のいずれか可能な実施方法を参照すると、第八の可能な実施方法において、前記第一過負荷指示情報は、前記過負荷制御ポリシーに関連付けられた指示または過負荷状態情報を含む。
【００４８】
第三の態様の第八の可能な実施方法を参照すると、第九の可能な実施方法において、前記第一過負荷指示情報は、過負荷制御率をさらに含む。
【００４９】
第十の可能な実施方法において、前記ゲートウェイ装置は：前記決定モジュールが前記第一過負荷指示情報を決定する前に、前記モビリティ管理エンティティによって送信された第一制御信号メッセージを受信するように構成された、第五受信モジュールをさらに含み；前記決定モジュールは、遅延タイマに関する情報を含む第一制御信号応答メッセージとして前記第一過負荷指示情報を決定するように具体的に構成されており、前記第一過負荷指示情報は、第一制御信号と同じタイプを有する信号プロセスを前記過負荷制御ポリシーが制御していることを示唆する。
【００５０】
第三の態様の第十の可能な実施方法を参照すると、第十一の可能な実施方法において、前記決定モジュールは、前記遅延タイマに関する情報、および過負荷制御率を含む前記第一制御信号応答メッセージとして、前記第一過負荷指示情報を決定するように、具体的に構成されている。
【００５１】
第五の態様によれば、モビリティ管理エンティティが提供され、これは：ゲートウェイ装置によって送信された第一過負荷指示情報を受信するように構成された受信モジュールであって、前記第一過負荷指示情報は過負荷制御ポリシーを指示するために使用される、受信モジュールと；前記第一過負荷指示情報にしたがって前記過負荷制御ポリシーを実行するように構成された処理モジュールと、を含む。
【００５２】
第一の可能な実施方法において、前記モビリティ管理エンティティは：前記受信モジュールが前記ゲートウェイ装置から送信された前記第一過負荷指示情報を受信する前に、前記ゲートウェイ装置に第一制御要求メッセージを送信するように構成された、第一送信モジュールをさらに含み；前記受信モジュールは、前記ゲートウェイ装置によって送信された第一制御応答メッセージを受信するように具体的に構成されており、前記第一制御応答メッセージは第一過負荷指示情報を担持し、前記第一過負荷指示情報は前記ゲートウェイ装置の負荷状態にしたがって前記ゲートウェイ装置によって決定され、または前記第一過負荷指示情報は、前記ゲートウェイ装置の負荷状態および前記ゲートウェイ装置に接続されたモビリティ管理エンティティの信号送信状態にしたがって前記ゲートウェイ装置によって決定される。
【００５３】
第二の可能な実施方法において、前記モビリティ管理エンティティは：前記受信モジュールが前記ゲートウェイ装置から送信された前記第一過負荷指示情報を受信する前に、第一経路検出要求メッセージを前記ゲートウェイ装置に送信するように構成された第二送信モジュールをさらに含み；前記受信モジュールは、前記ゲートウェイ装置によって送信された第一経路検出応答メッセージを受信するように具体的に構成されており、前記第一経路検出応答メッセージは前記第一過負荷指示情報を担持し、前記第一過負荷指示情報は前記ゲートウェイ装置の負荷状態にしたがって前記ゲートウェイ装置によって決定され、または前記第一過負荷指示情報は、前記ゲートウェイ装置の負荷状態および前記ゲートウェイ装置に接続されたモビリティ管理エンティティの信号送信状態にしたがって前記ゲートウェイ装置によって決定される。
【００５４】
第三の可能な実施方法において、前記ゲートウェイ装置はSGWであり；前記モビリティ管理エンティティは：前記受信モジュールが前記ゲートウェイ装置から送信された前記第一過負荷指示情報を受信する前に、前記SGWが第二制御要求メッセージをパケットデータネットワークゲートウェイPGWに送信し、前記PGWによって送信された第二制御応答メッセージを受信するように、第一制御要求メッセージを前記SGWに送信するように構成された、第三送信モジュールをさらに含み、前記第二制御応答メッセージは、前記PGWによって決定されて前記過負荷制御ポリシーを指示するために使用される第二過負荷指示情報を担持し；前記受信モジュールは、前記SGWによって送信された第一制御応答メッセージを受信するように具体的に構成されており、前記第一制御応答メッセージは第一過負荷指示情報を担持し、前記第一過負荷指示情報は、前記SGWによって転送された前記第二過負荷指示情報、または前記第二過負荷指示情報および前記SGWに接続されたモビリティ管理エンティティの信号送信状態にしたがって前記SGWによって決定された第一過負荷指示情報である。
【００５５】
第四の可能な実施方法において、前記ゲートウェイ装置はSGWであり；前記受信モジュールは、前記SGWによって送信された第一経路検出メッセージを受信するように具体的に構成されており、前記第一経路検出メッセージは前記第一過負荷指示情報を担持し、前記第一過負荷指示情報は、前記SGWによって転送され、PGWによって決定され、前記過負荷制御ポリシーを指示するために使用される第二過負荷指示情報であり、または前記第一過負荷指示情報は、前記第二過負荷指示情報および前記SGWに接続されたモビリティ管理エンティティの信号送信状態にしたがって前記SGWによって決定される。
【００５６】
第五の態様、または第五の態様の第一から第四の可能な実施方法のいずれか可能な実施方法を参照すると、第五の可能な実施方法において、前記受信モジュールは、前記ゲートウェイ装置によって送信された遅延タイマに関する情報を受信するようにさらに構成されており；前記処理モジュールは、遅延タイマが切れる前に前記第一過負荷指示情報にしたがって前記過負荷制御ポリシーを実行するように、具体的に構成されている。
【００５７】
第五の態様、または第五の態様の第一から第五の可能な実施方法のいずれか可能な実施方法を参照すると、第六の可能な実施方法において、前記過負荷制御ポリシーは：初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【００５８】
第五の態様、または第五の態様の第一から第六の可能な実施方法のいずれか可能な実施方法を参照すると、第七の可能な実施方法において、前記第一過負荷指示情報は、前記過負荷制御ポリシーに関連付けられた指示または過負荷状態情報を含み；前記処理モジュールは、前記指示または前記過負荷状態情報に関連付けられた前記過負荷制御ポリシーを実行するように、具体的に構成されている。
【００５９】
第五の態様の第七の可能な実施方法を参照すると、第八の可能な実施方法において、前記第一過負荷指示情報は過負荷制御率をさらに含み；前記処理モジュールは、前記過負荷制御率にしたがって、前記指示または前記過負荷状態情報に関連付けられた前記過負荷制御ポリシーを実行するように、具体的に構成されている。
【００６０】
第九の可能な実施方法において、前記モビリティ管理エンティティは：前記受信モジュールが前記ゲートウェイ装置から送信された前記第一過負荷指示情報を受信する前に、第一制御信号メッセージを前記ゲートウェイ装置に送信するように構成された、第四送信モジュールをさらに含み；前記受信モジュールは、前記ゲートウェイ装置によって送信され、遅延タイマに関する情報を含む、第一制御信号応答メッセージを受信するように具体的に構成されており、前記第一制御信号応答メッセージは第一制御信号と同じタイプを有する信号プロセスを前記過負荷制御ポリシーが制御していることを示唆し；前記処理モジュールは、前記第一制御信号応答メッセージにしたがって、前記第一制御信号と同じタイプを有する前記信号プロセスを制御するように、具体的に構成されている。
【００６１】
第五の態様の第九の可能な実施方法を参照すると、第十の可能な実施方法において、前記第一制御信号応答メッセージは過負荷制御率をさらに含み；前記処理モジュールは、前記過負荷制御率にしたがって、前記第一制御信号と同じタイプを有する前記信号プロセスを制御するように、具体的に構成されている。
【００６２】
第六の態様によれば、PGWが提供され、前記PGWは：第二過負荷指示情報を決定するように構成された決定モジュールであって、前記第二過負荷指示情報は過負荷制御ポリシーを指示するために使用される、決定モジュールと；サービングゲートウェイSGWが前記第二過負荷指示情報にしたがって過負荷制御を行うように、前記第二過負荷指示情報を前記SGWに送信するように構成された送信モジュールと、を含む。
【００６３】
第一の可能な実施方法において、前記第二過負荷指示情報は、モビリティ管理エンティティに送信されることになっていて前記過負荷制御ポリシーを指示するために使用される第一過負荷指示情報を、前記第二過負荷指示情報にしたがって前記SGWが決定できるようにするために使用され；または前記第二過負荷指示情報は、前記第二過負荷指示情報にしたがって前記過負荷制御ポリシーを前記SGWが実行できるようにするために使用される。
【００６４】
第六の態様、または第六の態様の第一の可能な実施方法を参照すると、第二の可能な実施方法において、前記PGWは、前記決定モジュールが前記第二過負荷指示情報を決定する前に、前記SGWによって送信された第二制御要求メッセージを受信するように構成された、第一受信モジュールをさらに含み；前記決定モジュールは、前記PGWの負荷状態にしたがって前記第二過負荷指示情報を決定するように具体的に構成されており；前記送信モジュールは、第二制御要求メッセージを前記SGWに送信するように具体的に構成されており、前記第二制御応答メッセージは前記第二過負荷指示情報を担持する。
【００６５】
第六の態様、または第六の態様の第一の可能な実施方法を参照すると、第三の可能な実施方法において、前記PGWは：前記決定モジュールが前記第二過負荷指示情報を決定する前に、前記SGWによって送信された第二経路検出要求メッセージを受信するように構成された、第二受信モジュールをさらに含み；前記決定モジュールは、前記PGWの負荷状態にしたがって前記第二過負荷指示情報を決定するように具体的に構成されており；前記送信モジュールは、第二経路検出応答メッセージを前記SGWに送信するように具体的に構成されており、前記第二経路検出応答メッセージは前記第二過負荷指示情報を担持する。
【００６６】
第六の態様の第二または第三の可能な実施方法を参照すると、第四の可能な実施方法において、前記決定モジュールは、前記PGWの前記負荷状態および前記PGWに接続されたSGWの信号送信状態にしたがって前記第二過負荷指示情報を決定するように、具体的に構成されている。
【００６７】
第六の態様、または第六の態様の第一から第四の可能な実施方法のいずれか可能な実施方法を参照すると、第五の可能な実施方法において、前記送信モジュールは、遅延タイマに関する情報を前記SGWに送信するように、さらに構成されている。
【００６８】
第六の態様、または第六の態様の第一から第五の可能な実施方法のいずれか可能な実施方法を参照すると、第六の可能な実施方法において、前記過負荷制御ポリシーは：初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【００６９】
第六の態様、または第六の態様の第一から第六の可能な実施方法のいずれか可能な実施方法を参照すると、第七の可能な実施方法において、前記第二過負荷指示情報は、前記過負荷制御ポリシーに関連付けられた指示または過負荷状態情報を含む。
【００７０】
第六の態様の第七の可能な実施方法を参照すると、第八の可能な実施方法において、前記第二過負荷指示情報は、過負荷制御率をさらに含む。
【００７１】
第六の態様、または第六の態様の第一の可能な実施方法を参照すると、第九の可能な実施方法において、前記PGWは：前記決定モジュールが前記第二過負荷指示情報を決定する前に、前記SGWによって送信された第二制御信号メッセージを受信するように構成された、第三受信モジュールをさらに含み；前記決定モジュールは、遅延タイマに関する情報を含む第二制御信号応答メッセージとして前記第二過負荷指示情報を決定するように具体的に構成されており、前記第二過負荷指示情報は、前記過負荷制御ポリシーが、前記第二制御信号と同じタイプを有する信号プロセスを制御していることを示唆する。
【００７２】
第六の態様の第九の可能な実施方法を参照すると、第十の可能な実施方法において、前記決定モジュールは、遅延タイマに関する情報および過負荷制御率を含む前記第二制御信号応答メッセージとして前記第二過負荷指示情報を決定するように、具体的に構成されている。
【００７３】
上記の技術的解決法に基づいて、本発明の実施形態において、過負荷制御ポリシーを指示するために使用される過負荷指示情報は、モビリティ管理エンティティが、装置過負荷によってもたらされる悪影響を回避することができる過負荷制御ポリシーを実行するように、モビリティ管理エンティティに送信され、したがって、装置過負荷は効果的に制御されることが可能である。
【００７４】
本発明の実施形態の技術的解決法をより明確に記載するために、下記において、本発明の実施形態を記載するために必要とされる添付図面を簡単に紹介する。明らかに、以下の記載における添付図面は単に本発明のいくつかの実施形態を示すものであり、当業者は、創造的努力を伴わずにこれら添付図面から別の図面を導き出すことができる。
【図面の簡単な説明】
【００７５】
【図１】本発明の実施形態による過負荷制御方法の概略フローチャートである。
【図２】本発明の実施形態による過負荷制御方法の別の概略フローチャートである。
【図３】本発明の実施形態による過負荷制御方法のさらに別の概略フローチャートである。
【図４】本発明の実施形態による過負荷制御方法のさらに別の概略フローチャートである。
【図５】本発明の実施形態による過負荷制御方法のさらに別の概略フローチャートである。
【図６】本発明の実施形態による過負荷制御方法のさらに別の概略フローチャートである。
【図７】本発明の実施形態による過負荷制御方法のさらに別の概略フローチャートである。
【図８】本発明の別の実施形態による過負荷制御方法の概略フローチャートである。
【図９】本発明の別の実施形態による過負荷制御方法の別の概略フローチャートである。
【図１０】本発明の別の実施形態による過負荷制御方法のさらに別の概略フローチャートである。
【図１１】本発明の別の実施形態による過負荷制御方法のさらに別の概略フローチャートである。
【図１２】本発明の別の実施形態による過負荷制御方法のさらに別の概略フローチャートである。
【図１３】本発明の別の実施形態による過負荷制御方法のさらに別の概略フローチャートである。
【図１４】本発明の別の実施形態による過負荷制御方法のさらに別の概略フローチャートである。
【図１５】本発明のさらに別の実施形態による過負荷制御方法の概略フローチャートである。
【図１６】本発明のさらに別の実施形態による過負荷制御方法の別の概略フローチャートである。
【図１７】本発明のさらに別の実施形態による過負荷制御方法のさらに別の概略フローチャートである。
【図１８】本発明のさらに別の実施形態による過負荷制御方法のさらに別の概略フローチャートである。
【図１９】本発明のさらに別の実施形態による過負荷制御方法のさらに別の概略フローチャートである。
【図２０】本発明の実施形態による過負荷制御方法の概略相互作用図である。
【図２１】本発明の別の実施形態による過負荷制御方法の概略相互作用図である。
【図２２】本発明のさらに別の実施形態による過負荷制御方法の概略相互作用図である。
【図２３】本発明のさらに別の実施形態による過負荷制御方法の概略相互作用図である。
【図２４】本発明の実施形態によるゲートウェイ装置の概略ブロック図である。
【図２５】本発明の実施形態によるモビリティ管理エンティティの概略ブロック図である。
【図２６】本発明の実施形態によるPGWの概略ブロック図である。
【図２７】本発明の実施形態によるゲートウェイ装置の概略構造図である。
【図２８】本発明の実施形態によるモビリティ管理エンティティの概略構造図である。
【図２９】本発明の実施形態によるPGWの概略構造図である。
【発明を実施するための形態】
【００７６】
以下、本発明の実施形態の添付図面を参照して、本発明の実施形態における技術的解決法を明確に記載する。明らかに、記載される実施形態は、本発明の実施形態のすべてではなくむしろ一部である。創造的努力を伴わずに本発明の実施形態に基づいて当業者によって得られるその他すべての実施形態は、本発明の保護範囲に含まれるものとする。
【００７７】
なお、本発明の実施形態の技術的解決法は、グローバル移動通信システム（Global System of Mobile communication, GSM（登録商標））システム、符号分割多重アクセス（Code Division Multiple Access, CDMA）システム、広帯域符号分割多重アクセス（Wideband Code Division Multiple Access, WCDMA（登録商標））システム、汎用パケット無線サービス（General Packet Radio Service, GPRS）、ロングタームエボリューション（Long Term Evolution, LTE）システム、LTE周波数分割複信（Frequency Division Duplex, FDD）システム、LTE時分割複信（Time Division Duplex, TDD）、ユニバーサル移動体通信システム（Universal Mobile Telecommunication System, UMTS）、およびマイクロ波アクセスのための国際相互運用（Worldwide Interoperability for Microwave Access, WiMAX）通信システムなど、様々な通信システムに適用されてもよいことは、理解されるべきである。
【００７８】
本発明の実施形態において、ゲートウェイ装置は、GSMまたはUMTSにおけるゲートウェイGPRSサポートノードであってもよく、あるいはLTEにおけるSGWであってもよいが、本発明において限定されるものではない。
【００７９】
本発明の実施形態において、モビリティ管理エンティティは、GSMまたはUMTSにおけるサービングGPRSサポートノード（Serving GPRS Support Node, SGSN）であってもよく、あるいはLTEにおけるMMEであってもよいが、本発明において限定されるものではない。
【００８０】
図1は、本発明の実施形態による過負荷制御方法100の概略フローチャートを示す。図1に示されるように、方法100は、以下を含む。
【００８１】
S110.ゲートウェイ装置は第一過負荷指示情報を決定し、第一過負荷指示情報は過負荷制御ポリシーを指示するために使用される。
【００８２】
S120.ゲートウェイ装置は、モビリティ管理エンティティが第一過負荷指示情報にしたがって過負荷制御ポリシーを実行するように、第一過負荷指示情報をモビリティ管理エンティティに送信する。
【００８３】
本発明のこの実施形態において、過負荷制御がゲートウェイ装置上で行われる必要があるとき、つまりゲートウェイ装置が過負荷状態にあるとき、過負荷制御ポリシーを指示するために使用される第一過負荷指示情報はモビリティ管理エンティティに送信され、モビリティ管理エンティティは第一過負荷指示情報にしたがって過負荷制御ポリシーを実行し、これによりゲートウェイ装置の負荷を低減し、ゲートウェイ装置の過負荷によってもたらされる悪影響を回避する。
【００８４】
したがって本発明のこの実施形態の過負荷制御方法によれば、過負荷制御ポリシーを指示するために使用される過負荷指示情報は、装置過負荷によってもたらされる悪影響を回避することができる過負荷制御ポリシーをモビリティ管理エンティティが実行するように、モビリティ管理エンティティに送信され、したがって装置過負荷は効果的に制御されることが可能である。
【００８５】
なお、本発明のこの実施形態において、用語「第一」および「第二」は単に異なる情報または内容を区別するために過ぎず、本発明のこの実施形態に対してその他の制限を課すように意図されるものではないことは、理解されるべきである。
【００８６】
本発明のこの実施形態において、過負荷制御ポリシーは、装置負荷を低減するために設定されるポリシーである。たとえば、過負荷制御ポリシーは、初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。初期アクセスユーザの量を制限するステップは、ユーザが負荷の軽い別のゲートウェイ装置を検索できるようにする。たとえばセル位置報告など、さらなる信号をもたらすサブスクリプションイベントが、遅延される可能性がある。しかしながら、本発明のこの実施形態は過負荷制御ポリシーに対して何ら制限を課すものではなく、過負荷制御ポリシーは装置負荷を低減する別のポリシーであってもよい。選択的に、すべての過負荷制御ポリシーは事前に構成されていてもよく、連続的にさらに更新されてもよい。
【００８７】
本発明のこの実施形態において、過負荷指示情報は、過負荷制御ポリシーを指示するために使用される。本発明のこの実施形態は、過負荷指示情報の特定の形態に対して何ら制限を課すものではない。選択的に、第一過負荷指示情報は過負荷制御ポリシーに関連付けられた指示であってもよく、つまり異なる過負荷制御ポリシーを指示するために異なる指示値が使用される。たとえば、第一、第二、または第三過負荷制御ポリシーをそれぞれ指示するために、1、2、または3が使用される。
【００８８】
選択的に、第一過負荷指示情報は過負荷制御ポリシーに関連付けられた過負荷状態情報であってもよく、つまり異なる過負荷制御ポリシーを指示するために異なる過負荷状態情報が使用される。たとえば、第一、第二、または第三過負荷制御ポリシーをそれぞれ指示するために、「軽量」、「中量」、または「重量」が使用されてもよい。
【００８９】
選択的に、第一過負荷指示情報は過負荷制御率をさらに含む。たとえば、「a%」は、初期アクセスユーザの量をa%だけ減少させることを表す。
【００９０】
過負荷指示情報を受信した後、モビリティ管理エンティティは、過負荷制御を行うために、過負荷指示情報にしたがって過負荷制御ポリシーを実行する。過負荷制御を行う時間は、モビリティ管理エンティティによって決定されてもよく、あるいは事前に構成されてもよく、つまり、過負荷指示情報を受信すると、モビリティ管理エンティティは、事前に構成された時間の範囲内で過負荷制御を実行し始める。本発明のこの実施形態は、過負荷制御を行うための時間の決定方法に対して制限を課すものではない。
【００９１】
本発明のこの実施形態において、過負荷指示情報は、たとえば制御メッセージまたはモビリティ管理エンティティとゲートウェイ装置との間の経路検出メッセージなど、異なるメッセージ内に担持されて送信されてもよい。
【００９２】
本発明のこの実施形態において、図2に示されるように、選択的に、S110の前に、方法100はさらに以下を含む。
【００９３】
S130.ゲートウェイ装置は、モビリティ管理エンティティによって送信された第一制御要求メッセージを受信する。
【００９４】
S110は、以下を含む。
【００９５】
S111.ゲートウェイ装置は、ゲートウェイ装置の負荷状態にしたがって第一過負荷指示情報を決定する。
【００９６】
S120は、以下を含む。
【００９７】
S121.ゲートウェイ装置は第一制御応答メッセージをモビリティ管理エンティティに送信し、第一制御応答メッセージは第一過負荷指示情報を担持する。
【００９８】
具体的には、この実施形態において、過負荷指示情報は、制御メッセージを用いて送信される。モビリティ管理エンティティは、たとえばセッション生成要求メッセージなどの第一制御要求メッセージをゲートウェイ装置に送信する。ゲートウェイ装置は、ゲートウェイ装置の負荷状態にしたがって第一過負荷指示情報を決定し、過負荷制御ポリシーを指示するように、モビリティ管理エンティティに送信されることになっている第一制御応答メッセージ内に第一過負荷指示情報を含む。第一制御応答メッセージを受信した後、モビリティ管理エンティティは、ゲートウェイ装置の過負荷に対する制御を行うように、第一制御応答メッセージ内に担持される第一過負荷指示情報にしたがって、過負荷制御ポリシーを実行する。
【００９９】
選択的に、S111は、
ゲートウェイ装置の負荷状態およびゲートウェイ装置に接続されたモビリティ管理エンティティの信号送信状態にしたがって第一過負荷指示情報を前記ゲートウェイ装置によって決定するステップを含む。
【０１００】
具体的には、ゲートウェイ装置が複数のモビリティ管理エンティティに接続されているとき、異なるモビリティ管理エンティティに対して差別化された処理が行われてもよい。ゲートウェイ装置は、異なる過負荷制御ポリシーを実行するようモビリティ管理エンティティに命令するように、たとえば信号の量および／または信号送信の周波数などの情報など、ゲートウェイ装置の負荷状態およびモビリティ管理エンティティの信号送信状態にしたがってモビリティ管理エンティティのための過負荷指示情報を決定する。たとえば、大量の信号を送信するモビリティ管理エンティティには、より厳しい過負荷制御ポリシーが実行され、少ない信号を送信するモビリティ管理エンティティには、緩い過負荷制御ポリシーが実行されてもよい。異なるモビリティ管理エンティティに対して差別化された処理を行うことにより、すべてのモビリティ管理エンティティによって同時に開始される過負荷制御によって生じるゲートウェイ装置の負荷が高いかまたは低い状況は、回避される。したがって、装置負荷均衡が実施可能である。
【０１０１】
本発明のこの実施形態において、図3に示されるように、選択的に、S110の前に、方法100は、以下をさらに含む。
【０１０２】
S140.ゲートウェイ装置は、モビリティ管理エンティティによって送信された第一経路検出要求メッセージを受信する。
【０１０３】
S110は、以下を含む。
【０１０４】
S111.ゲートウェイ装置は、ゲートウェイ装置の負荷状態にしたがって第一過負荷指示情報を決定する。
【０１０５】
S120は、以下を含む。
【０１０６】
S122.ゲートウェイ装置は第一経路検出応答メッセージをモビリティ管理エンティティに送信し、第一経路検出応答メッセージは第一過負荷指示情報を担持する。
【０１０７】
具体的には、この実施形態において、過負荷指示情報は、経路検出メッセージを使用することによって送信される。モビリティ管理エンティティは、たとえばエコープロトコル（Echo Protocol, Echo）要求メッセージなどの第一経路検出要求メッセージを、ゲートウェイ装置に送信する。ゲートウェイ装置は、ゲートウェイ装置の負荷状態にしたがって第一過負荷指示情報を決定し、過負荷制御ポリシーを指示するように、モビリティ管理エンティティに送信されることになっている第一経路検出応答メッセージ内に第一過負荷指示情報を含む。第一経路検出応答メッセージを受信した後、モビリティ管理エンティティは、ゲートウェイ装置の過負荷に対する制御を行うように、第一経路検出応答メッセージ内に担持される第一過負荷指示情報にしたがって、過負荷制御ポリシーを実行する。
【０１０８】
上記実施形態と同様に、S111は、
ゲートウェイ装置の負荷状態およびゲートウェイ装置に接続されたモビリティ管理エンティティの信号送信状態にしたがって第一過負荷指示情報をゲートウェイ装置によって決定するステップを含む。
【０１０９】
具体的な説明については上記実施形態を参照されたく、詳細は本明細書内で再度記載されるものではない。
【０１１０】
本発明のこの実施形態において、選択的に、ゲートウェイ装置はSGWである。図4に示されるように、S110の前に、方法100は、以下をさらに含む。
【０１１１】
S151.SGWは、モビリティ管理エンティティによって送信された第一制御要求メッセージを受信する。
【０１１２】
S152.SGWは、第二制御要求メッセージをパケットデータネットワークゲートウェイPGWに送信する。
【０１１３】
S153.SGWはPGWによって送信された第二制御応答メッセージを受信し、第二制御応答メッセージは、PGWによって決定されて過負荷制御ポリシーを指示するために使用される第二過負荷指示情報を担持する。
【０１１４】
S110は、以下を含む。
【０１１５】
S112.SGWは第一過負荷指示情報として第二過負荷指示情報を決定し、あるいはSGWは、第二過負荷指示情報およびSGWに接続されたモビリティ管理エンティティの信号送信状態にしたがって、第一過負荷指示情報を決定する。
【０１１６】
S120は、以下を含む。
【０１１７】
S123.SGWは、第一制御応答メッセージをモビリティ管理エンティティに送信し、第一制御応答メッセージは第一過負荷指示情報を担持する。
【０１１８】
具体的には、LTEシステムにおいて、PGWが過負荷になったとき、PGWの過負荷に対する制御が行われる必要がある。この実施形態において、過負荷指示情報は、制御メッセージを使用することによって送信される。モビリティ管理エンティティはたとえばセッション生成要求メッセージなどの第一制御要求メッセージを、SGWに送信する。SGWは第二制御要求メッセージをPGWに送信する。PGWは、過負荷制御ポリシーを指示するために使用される第二過負荷指示情報を決定する。選択的に、PGWは、PGWの負荷状態にしたがって第二過負荷指示情報を決定し、あるいはPGWは、PGWの負荷状態およびPGWに接続されたSGWの信号送信状態にしたがって、第二過負荷指示情報を決定する。PGWは、過負荷制御ポリシーを指示するように、SGWに送信されることになっている第二制御応答メッセージ内に、第二過負荷指示情報を含む。SGWは、モビリティ管理エンティティに送信されることになっている第一過負荷指示情報として第二過負荷指示情報を使用し（つまり、PGWによって送信された過負荷指示情報を転送する）、あるいはSGWは、第二過負荷指示情報およびSGWに接続されたモビリティ管理エンティティの信号送信状態にしたがって、第一過負荷指示情報を決定する。SGWは、過負荷制御ポリシーを指示するように、モビリティ管理エンティティに送信されることになっている第一制御応答メッセージ内に、第一過負荷指示情報を含む。第一制御応答メッセージを受信した後、モビリティ管理エンティティは、PGWの過負荷に対する制御を実施するように、第一過負荷指示情報にしたがって過負荷制御ポリシーを実行する。
【０１１９】
本発明のこの実施形態において、選択的に、ゲートウェイ装置はSGWである。図5に示されるように、S110の前に、方法100は、以下をさらに含む。
【０１２０】
S161.SGWは第二経路検出要求メッセージをPGWに送信する。
【０１２１】
S162.SGWはPGWによって送信された第二経路検出応答メッセージを受信し、第二経路検出応答メッセージは、PGWによって決定されて過負荷制御ポリシーを指示するために使用される、第二過負荷指示情報を担持する。
【０１２２】
S110は、以下を含む。
【０１２３】
S113.SGWは第一過負荷指示情報として第二過負荷指示情報を決定し、あるいはSGWは、第二過負荷指示情報およびSGWに接続されたモビリティ管理エンティティの信号送信状態にしたがって、第一過負荷指示情報を決定する。
【０１２４】
S120は、以下を含む。
【０１２５】
S124.SGWは第一経路検出メッセージをモビリティ管理エンティティに送信し、第一経路検出メッセージは第一過負荷指示情報を担持する。
【０１２６】
具体的には、この実施形態において、過負荷指示情報は経路検出メッセージを使用することによって送信される。SGWは、たとえばEcho要求メッセージなどの第二経路検出要求メッセージをPGWに送信する。PGWは、過負荷制御ポリシーを指示するために使用される第二過負荷指示情報を決定する。選択的に、PGWは、PGWの負荷状態にしたがって第二過負荷指示情報を決定し、あるいはPGWは、PGWの負荷状態、およびPGWに接続されたSGWの信号送信状態にしたがって、第二過負荷指示情報を決定する。PGWは、過負荷制御ポリシーを指示するように、SGWに送信されることになっている第二経路検出応答メッセージ内に、第二過負荷指示情報を含む。SGWは、モビリティ管理エンティティに送信されることになっている第一過負荷指示情報として第二過負荷指示情報を使用し（つまり、PGWによって送信された過負荷指示情報を転送する）、またはSGWは、第二過負荷指示情報、およびSGWに接続されたモビリティ管理エンティティの信号送信状態にしたがって、第一過負荷指示情報を決定する。SGWは、第一経路検出メッセージ（経路検出要求メッセージまたは経路検出応答メッセージ）を使用することによって、第一過負荷指示情報をモビリティ管理エンティティに送信する。たとえば、モビリティ管理エンティティによってSGWに送信された第一経路検出要求メッセージを受信した後、SGWは、モビリティ管理エンティティに送信されることになっている第一経路検出応答メッセージ内に第一過負荷指示情報を含み、またはSGWは経路検出要求メッセージをモビリティ管理エンティティに積極的に送信し、経路検出要求メッセージは、過負荷制御ポリシーを指示するように、第一過負荷指示情報を担持する。第一経路検出メッセージを受信した後、モビリティ管理エンティティは、PGWの過負荷に対する制御を実施するように、第一過負荷指示情報にしたがって過負荷制御ポリシーを実行する。
【０１２７】
本発明のこの実施形態において、図6に示されるように、選択的に、方法100は、以下をさらに含む。
【０１２８】
S170.ゲートウェイ装置は、遅延タイマが切れる前にモビリティ管理エンティティが第一過負荷指示情報にしたがって過負荷制御ポリシーを実行するように、遅延タイマに関する情報をモビリティ管理エンティティに送信する。
【０１２９】
具体的には、過負荷指示情報の送信に加えて、ゲートウェイ装置は、遅延タイマが切れる前に過負荷制御を行い、遅延タイマが切れた後にはもはや過負荷制御を行わないよう過負荷制御ポリシーを実行するように、モビリティ管理エンティティに命令するように、遅延タイマに関する情報をモビリティ管理エンティティにさらに同時に送信する。このように、モビリティ管理エンティティは、遅延タイマに関する情報を使用することによって、過負荷制御を行うための時間を決定するためにモビリティ管理エンティティを必要とすることなく、特定の時間内に過負荷制御を行うように命令されることが可能である。したがって、ゲートウェイ装置は過負荷制御を行うための時間を調整してもよく、これによって過負荷制御をより効果的に実施することができる。
【０１３０】
本発明のこの実施形態において、図7に示されるように、選択的に、S110の前に、方法100は、以下をさらに含む。
【０１３１】
S180.ゲートウェイ装置は、モビリティ管理エンティティによって送信された第一制御信号メッセージを受信する。
【０１３２】
S110は、以下を含む。
【０１３３】
S114.ゲートウェイ装置は、遅延タイマに関する情報を含む第一制御信号応答メッセージとして第一過負荷指示情報を決定し、第一過負荷指示情報は、第一制御信号と同じタイプを有する信号プロセスを過負荷制御ポリシーが制御していることを示唆する。
【０１３４】
具体的には、この実施形態において、制御信号と同じタイプを有する信号プロセスを制御する過負荷制御ポリシーを実行するように命令するために、たとえばセッション生成応答メッセージなど、遅延タイマに関する情報を含む前記第一制御信号応答メッセージが使用される。つまり、遅延タイマに関する情報を含む前記第一制御信号応答メッセージは、制御信号と同じタイプを有する信号プロセスの制御に関連付けられている。モビリティ管理エンティティによって送信された前記第一制御信号メッセージを受信した後、ゲートウェイ装置は、遅延タイマに関する情報を含む前記第一制御信号応答メッセージをモビリティ管理エンティティに送信することによって、遅延タイマが切れる前に制御信号と同じタイプを有する信号プロセスを制御するように、モビリティ管理エンティティに命令する。
【０１３５】
選択的に、S114は、
遅延タイマに関する情報および過負荷制御率を含む第一制御信号応答メッセージとして、第一過負荷指示情報をゲートウェイ装置によって決定するステップを含む。
【０１３６】
つまり、前記第一制御信号応答メッセージは、たとえば「a%」の過負荷制御率をさらに含んでもよく、これは、制御信号と同じタイプを有する信号プロセスを制御する割合がa%であることを示唆している。
【０１３７】
なお、過負荷指示情報はまた、別のメッセージ内に担持されて送信されてもよく、あるいは新しいメッセージを使用することによって送信されてもよく、これは本発明のこの実施形態では限定されない。
【０１３８】
本発明のこの実施形態の過負荷制御方法によれば、過負荷制御ポリシーを指示するために使用される過負荷指示情報は、装置過負荷によってもたらされる悪影響を回避することができる、過負荷制御ポリシーを過負荷指示情報にしたがってモビリティ管理エンティティが実行するように、モビリティ管理エンティティに送信される。したがって、装置過負荷は効果的に制御されることが可能である。
【０１３９】
上記は、図1から図7を参照して、ゲートウェイ装置の観点から本発明の実施形態における過負荷制御方法を詳細に記載している。下記は、図8から図14を参照してモビリティ管理エンティティの観点から、本発明の実施形態における過負荷制御方法を詳細に記載する。
【０１４０】
図8は、本発明の実施形態による過負荷制御方法800の概略フローチャートを示す。図8に示されるように、方法800は、以下を含む。
【０１４１】
S810.モビリティ管理エンティティはゲートウェイ装置によって送信された第一過負荷指示情報を受信し、第一過負荷指示情報は、過負荷制御ポリシーを指示するために使用される。
【０１４２】
S820.モビリティ管理エンティティは、第一過負荷指示情報にしたがって過負荷制御ポリシーを実行する。
【０１４３】
本発明のこの実施形態において、ゲートウェイ装置が過負荷状態にあるとき、ゲートウェイ装置は、過負荷制御ポリシーを指示するために使用される第一過負荷指示情報をモビリティ管理エンティティに送信し、ゲートウェイ装置によって送信された第一過負荷指示情報を受信した後、モビリティ管理エンティティは、第一過負荷指示情報にしたがって過負荷制御ポリシーを実行し、これによりゲートウェイ装置の負荷を低減し、ゲートウェイ装置の過負荷によってもたらされる悪影響を回避する。
【０１４４】
したがって、本発明のこの実施形態の過負荷制御方法によれば、ゲートウェイ装置によって送信され、過負荷制御ポリシーを指示するために使用される過負荷指示情報が受信され、過負荷制御ポリシーは過負荷指示情報にしたがって実行され、これにより装置過負荷によってもたらされる悪影響を回避することができる。したがって、装置過負荷は効果的に制御されることが可能である。
【０１４５】
本発明のこの実施形態において、過負荷制御ポリシーは、装置負荷を低減するために設定されるポリシーである。たとえば、過負荷制御ポリシーは：初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。初期アクセスユーザの量を制限するステップは、ユーザが負荷の軽い別のゲートウェイ装置を検索できるようにする。本発明のこの実施形態は過負荷制御ポリシーに対して何ら制限を課すものではなく、過負荷制御ポリシーは装置負荷を低減する別のポリシーであってもよい。選択的に、すべての過負荷制御ポリシーは事前に構成されていてもよく、連続的にさらに更新されてもよい。
【０１４６】
本発明のこの実施形態において、過負荷指示情報は、過負荷制御ポリシーを指示するために使用される。本発明のこの実施形態は、過負荷指示情報の特定の形態に対して何ら制限を課すものではない。
【０１４７】
本発明のこの実施形態において、第一過負荷指示情報は、過負荷制御ポリシーに関連付けられた指示または過負荷状態情報を含む。
【０１４８】
S820は。
指示または過負荷状態情報に関連付けられた過負荷制御ポリシーをモビリティ管理エンティティによって実行するステップを含む。
【０１４９】
具体的には、第一過負荷指示情報は過負荷制御ポリシーに関連付けられた指示であってもよく、つまり異なる過負荷制御ポリシーを指示するために異なる指示値が使用される。たとえば、第一、第二、または第三過負荷制御ポリシーをそれぞれ指示するために、1、2、または3が使用される。指示を受信した後、モビリティ管理エンティティは、指示に関連付けられた過負荷制御ポリシーを実行する。たとえば、モビリティ管理エンティティによって受信された指示が1である場合、第一過負荷制御ポリシーが実行される。
【０１５０】
あるいは、第一過負荷指示情報は過負荷制御ポリシーに関連付けられた過負荷状態情報であってもよく、つまり異なる過負荷制御ポリシーを指示するために異なる過負荷状態情報が使用される。たとえば、第一、第二、または第三過負荷制御ポリシーをそれぞれ指示するために、「軽量」、「中量」、または「重量」が使用されてもよい。過負荷状態情報を受信した後、モビリティ管理エンティティは、過負荷状態情報に関連付けられた過負荷制御ポリシーを実行する。
【０１５１】
選択的に、第一過負荷指示情報は過負荷制御率をさらに含む。
【０１５２】
S820は、
過負荷制御率にしたがってモビリティ管理エンティティによって、指示または過負荷状態情報に関連付けられた過負荷制御ポリシーを実行するステップを含む。
【０１５３】
つまり、過負荷制御ポリシーに関連付けられた指示または過負荷状態情報を含むことに加えて、第一過負荷指示情報は過負荷制御率をさらに含む。たとえば、「a%」は、初期アクセスユーザの量をa%だけ減少させることを表す。指示および過負荷制御率、または過負荷状態情報および過負荷制御率を受信した後、モビリティ管理エンティティは、過負荷制御率にしたがって、指示または過負荷状態情報に関連付けられた過負荷制御ポリシーを実行する。たとえば、モビリティ管理エンティティが「a%」を受信した場合、モビリティ管理エンティティは初期アクセスユーザの量をa%だけ減少させる。
【０１５４】
過負荷指示情報を受信した後、モビリティ管理エンティティは、過負荷制御を行うために、過負荷指示情報にしたがって過負荷制御ポリシーを実行する。過負荷制御を行う時間は、モビリティ管理エンティティによって決定されてもよく、あるいは事前に構成されてもよく、つまり、過負荷指示情報を受信すると、モビリティ管理エンティティは、事前に構成された時間の範囲内で過負荷制御を実行し始める。本発明のこの実施形態は、過負荷制御を行うための時間の決定方法に対して制限を課すものではない。
【０１５５】
本発明のこの実施形態において、図9に示されるように、選択的に、S810の前に、方法800は、以下をさらに含む。
【０１５６】
S830.モビリティ管理エンティティは第一制御要求メッセージをゲートウェイ装置に送信する。
【０１５７】
S810は、以下を含む。
【０１５８】
S811.モビリティ管理エンティティはゲートウェイ装置によって送信された第一制御応答メッセージを受信し、第一制御応答メッセージは第一過負荷指示情報を担持し、第一過負荷指示情報はゲートウェイ装置の負荷状態にしたがってゲートウェイ装置によって決定され、または第一過負荷指示情報は、ゲートウェイ装置の負荷状態およびゲートウェイ装置に接続されたモビリティ管理エンティティの信号送信状態にしたがってゲートウェイ装置によって決定される。
【０１５９】
この実施形態において、過負荷指示情報は、制御メッセージを使用することによって送信される。モビリティ管理エンティティは、第一制御要求メッセージをゲートウェイ装置に送信する。ゲートウェイ装置は、ゲートウェイ装置の負荷状態にしたがって第一過負荷指示情報を決定し、またはゲートウェイ装置は、ゲートウェイ装置の負荷状態およびゲートウェイ装置に接続されたモビリティ管理エンティティの信号送信状態にしたがって、第一過負荷指示情報を決定する。第一過負荷指示情報は、過負荷制御ポリシーを指示するように、モビリティ管理エンティティに送信されることになっている第一制御応答メッセージ内に含まれる。第一制御応答メッセージを受信した後、モビリティ管理エンティティは、ゲートウェイ装置の過負荷に対する制御を行うように、第一制御応答メッセージ内に担持される第一過負荷指示情報にしたがって過負荷制御ポリシーを実行する。
【０１６０】
本発明のこの実施形態において、図10に示されるように、選択的に、S810の前に、方法800は、以下をさらに含む。
【０１６１】
S840.モビリティ管理エンティティは、第一経路検出要求メッセージをゲートウェイ装置に送信する。
【０１６２】
S810は、以下を含む。
【０１６３】
S812.モビリティ管理エンティティは、ゲートウェイ装置によって送信された第一経路検出応答メッセージを受信し、第一経路検出応答メッセージは第一過負荷指示情報を担持し、第一過負荷指示情報はゲートウェイ装置の負荷状態にしたがってゲートウェイ装置によって決定され、または第一過負荷指示情報は、ゲートウェイ装置の負荷状態およびゲートウェイ装置に接続されたモビリティ管理エンティティの信号送信状態にしたがってゲートウェイ装置によって決定される。
【０１６４】
この実施形態において、過負荷指示情報は、経路検出メッセージを使用することによって送信される。モビリティ管理エンティティは、第一経路検出要求メッセージをゲートウェイ装置に送信する。ゲートウェイ装置は、ゲートウェイ装置の負荷状態にしたがって第一過負荷指示情報を決定し、またはゲートウェイ装置は、ゲートウェイ装置の負荷状態、およびゲートウェイ装置に接続されたモビリティ管理エンティティの信号送信状態にしたがって、第一過負荷指示情報を決定する。第一過負荷指示情報は、過負荷制御ポリシーを指示するように、モビリティ管理エンティティに送信されることになっている第一経路検出応答メッセージに含まれる。第一経路検出応答メッセージを受信した後、モビリティ管理エンティティは、ゲートウェイ装置の過負荷に対する制御を行うように、第一経路検出応答メッセージ内に担持される第一過負荷指示情報にしたがって過負荷制御ポリシーを実行する。
【０１６５】
本発明のこの実施形態において、選択的に、ゲートウェイ装置はSGWである。図11に示されるように、S810の前に、方法800は、以下をさらに含む。
【０１６６】
S850.モビリティ管理エンティティは、SGWが第二制御要求メッセージをパケットデータネットワークゲートウェイPGWに送信し、PGWによって送信された第二制御応答メッセージを受信するように、第一制御要求メッセージをSGWに送信し、第二制御応答メッセージは、PGWによって決定されて過負荷制御ポリシーを指示するために使用される第二過負荷指示情報を担持する。
【０１６７】
S810は、以下を含む。
【０１６８】
S813.モビリティ管理エンティティはSGWによって送信された第一制御応答メッセージを受信し、第一制御応答メッセージは第一過負荷指示情報を担持し、第一過負荷指示情報は、SGWによって転送された第二過負荷指示情報、または第二過負荷指示情報およびSGWに接続されたモビリティ管理エンティティの信号送信状態にしたがってSGWによって決定された第一過負荷指示情報である。
【０１６９】
LTEシステムにおいて、PGWが過負荷になったとき、PGWの過負荷に対する制御が行われる必要がある。この実施形態において、過負荷指示情報は、制御メッセージを使用することによって送信される。モビリティ管理エンティティは、第一制御要求メッセージをSGWに送信する。SGWは第二制御要求メッセージをPGWに送信する。PGWは、過負荷制御ポリシーを指示するために使用される第二過負荷指示情報を決定する。選択的に、PGWは、PGWの負荷状態にしたがって第二過負荷指示情報を決定し、またはPGWは、PGWの負荷状態、およびPGWに接続されたSGWの信号送信状態にしたがって、第二過負荷指示情報を決定する。PGWは、過負荷制御ポリシーを指示するように、SGWに送信されることになっている第二制御応答メッセージ内に、第二過負荷指示情報を含む。SGWは、モビリティ管理エンティティに送信されることになっている第一過負荷指示情報として第二過負荷指示情報を使用し（つまり、PGWによって送信された過負荷指示情報を転送する）、またはSGWは、第二過負荷指示情報、およびSGWに接続されたモビリティ管理エンティティの信号送信状態にしたがって、第一過負荷指示情報を決定する。SGWは、過負荷制御ポリシーを指示するように、モビリティ管理エンティティに送信されることになっている第一制御応答メッセージ内に、第一過負荷指示情報を含む。第一制御応答メッセージを受信した後、モビリティ管理エンティティは、PGWの過負荷に対する制御を実施するように、第一過負荷指示情報にしたがって過負荷制御ポリシーを実行する。
【０１７０】
本発明のこの実施形態において、選択的に、ゲートウェイ装置はSGWである。図12に示されるように、
【０１７１】
S810は、以下を含む。
【０１７２】
S814.モビリティ管理エンティティはSGWによって送信された第一経路検出メッセージを受信し、第一経路検出メッセージは第一過負荷指示情報を担持し、第一過負荷指示情報は、SGWによって転送され、PGWによって決定され、過負荷制御ポリシーを指示するために使用される第二過負荷指示情報であり、または第一過負荷指示情報は、第二過負荷指示情報およびSGWに接続されたモビリティ管理エンティティの信号送信状態にしたがってSGWによって決定される。
【０１７３】
この実施形態において、過負荷指示情報は、経路検出メッセージを使用することによって送信される。PGWによって送信されて過負荷制御ポリシーを指示するために使用される第二過負荷指示情報を受信した後、SGWは、モビリティ管理エンティティに送信されることになっている第一過負荷指示情報として第二過負荷指示情報を使用し（つまり、PGWによって送信された過負荷指示情報を転送する）、またはSGWは、第二過負荷指示情報、およびSGWに接続されたモビリティ管理エンティティの信号送信状態にしたがって、第一過負荷指示情報を決定する。SGWは、過負荷制御ポリシーを指示するように、モビリティ管理エンティティに送信されることになっている第一経路検出メッセージ内に、第一過負荷指示情報を含む。第一経路検出メッセージを受信した後、モビリティ管理エンティティは、PGWの過負荷に対する制御を実施するように、第一過負荷指示情報にしたがって過負荷制御ポリシーを実行する。
【０１７４】
本発明のこの実施形態において、図13に示されるように、選択的に、方法800は、以下をさらに含む。
【０１７５】
S870.モビリティ管理エンティティは、ゲートウェイ装置によって送信された遅延タイマに関する情報を受信する。
【０１７６】
S820は、以下を含む。
【０１７７】
S821.モビリティ管理エンティティは、遅延タイマが切れる前に、第一過負荷指示情報にしたがって過負荷制御ポリシーを実行する。
【０１７８】
具体的には、過負荷指示情報の送信に加えて、ゲートウェイ装置は、遅延タイマが切れる前に過負荷制御を行い、遅延タイマが切れた後にはもはや過負荷制御を行わないよう過負荷制御ポリシーを実行するようモビリティ管理エンティティに指示するように、遅延タイマに関する情報をモビリティ管理エンティティにさらに同時に送信する。ゲートウェイ装置によって送信された過負荷指示情報および遅延タイマに関する情報を受信すると、モビリティ管理エンティティは、遅延タイマが切れる前に過負荷制御ポリシーを実行し始め、遅延タイマが切れた後に過負荷制御を終了する。このように、モビリティ管理エンティティは、遅延タイマに関する情報を使用することによって、過負荷制御を行うための時間を決定するためにモビリティ管理エンティティを必要とすることなく、特定の時間内に過負荷制御を行うように命令されることが可能である。したがって、ゲートウェイ装置は過負荷制御を行うための時間を調整してもよく、これによって過負荷制御をより効果的に実施することができる。
【０１７９】
本発明のこの実施形態において、図14に示されるように、選択的に、S810の前に、方法800は、以下をさらに含む。
【０１８０】
S880.モビリティ管理エンティティは第一制御信号メッセージをゲートウェイ装置に送信する。
【０１８１】
S810は、以下を含む。
【０１８２】
S815.モビリティ管理エンティティは、ゲートウェイ装置によって送信されて遅延タイマに関する情報を含む、第一制御信号応答メッセージを受信し、第一制御信号応答メッセージは、第一制御信号と同じタイプを有する信号プロセスを過負荷制御ポリシーが制御していることを示唆する。
【０１８３】
S820は、以下を含む。
【０１８４】
S822.モビリティ管理エンティティは、第一制御信号応答メッセージにしたがって、第一制御信号と同じタイプを有する信号プロセスを制御する。
【０１８５】
この実施形態において、遅延タイマに関する情報を含む前記第一制御信号応答メッセージは、制御信号と同じタイプを有する信号プロセスを制御する過負荷制御ポリシーを実行するよう指示するために、使用される。つまり、遅延タイマに関する情報を含む前記第一制御信号応答メッセージは、制御信号と同じタイプを有する信号プロセスの制御に関連付けられている。モビリティ管理エンティティが前記第一制御信号メッセージをゲートウェイ装置に送信した後、ゲートウェイ装置は、遅延タイマに関する情報を含む前記第一制御信号応答メッセージをモビリティ管理エンティティに送信することによって、遅延タイマが切れる前に制御信号を同じタイプを有する信号プロセスを制御するように、モビリティ管理エンティティに命令する。ゲートウェイ装置によって送信されて遅延タイマに関する情報を含む前記第一制御信号応答メッセージを受信した後、モビリティ管理エンティティは、遅延タイマが切れる前に制御信号と同じタイプを有する信号プロセスを制御し始める。
【０１８６】
選択的に、第一制御信号応答メッセージは、過負荷制御率をさらに含む。
【０１８７】
S820は、
第一制御信号と同じタイプを有する信号プロセスを、過負荷制御率にしたがってモビリティ管理エンティティによって制御するステップを含む。
【０１８８】
つまり、前記第一制御信号応答メッセージは、たとえば「a%」などの過負荷制御率をさらに含んでもよい。遅延タイマに関する情報、および過負荷制御率を含む前記第一制御信号応答メッセージを受信した後、モビリティ管理エンティティは、過負荷制御率にしたがって、制御信号と同じタイプを有する信号プロセスを制御する。
【０１８９】
本発明のこの実施形態において、モビリティ管理エンティティの側から記載された、ゲートウェイ装置、モビリティ管理エンティティ、およびPGWの間の相互作用、関連する特徴、および機能は、ゲートウェイ装置の側から記載されたものに対応することは、理解されるべきである。簡潔さのため、本明細書において再度詳細が記載されることはない。
【０１９０】
本発明のこの実施形態における過負荷制御方法によれば、過負荷制御ポリシーは、ゲートウェイ装置によって送信され、過負荷制御ポリシーを指示するために使用される、過負荷指示情報にしたがって実行され、これにより、装置過負荷によってもたらされる悪影響を回避することができる。したがって、装置過負荷は効果的に制御されることが可能である。
【０１９１】
上記は、図1から図7を参照してゲートウェイ装置の観点から本発明の実施形態における過負荷制御方法を詳細に記載しており、図8から図14を参照してモビリティ管理エンティティの観点から本発明の実施形態における過負荷制御方法を詳細に記載している。下記は、図15から図19を参照して、PGWの観点から、本発明の実施形態における過負荷制御方法を詳細に記載する。
【０１９２】
図15は、本発明の実施形態による過負荷制御方法1500の概略フローチャートを示す。図15に示されるように、方法1500は、以下を含む。
【０１９３】
S1510.PGWは第二過負荷指示情報を決定し、第二過負荷指示情報は、過負荷制御ポリシーを指示するために使用される。
【０１９４】
S1520.PGWは、SGWが第二過負荷指示情報にしたがって過負荷制御を行うように、第二過負荷指示情報をSGWに送信する。
【０１９５】
PGWが過負荷になったとき、PGWの過負荷に対する制御が行われる必要がある。本発明のこの実施形態において、過負荷制御ポリシーを指示するために使用される第二過負荷指示情報を決定した後に、PGWは第二過負荷指示情報をSGWに送信し、SGWは第二過負荷指示情報にしたがって過負荷制御を行う。選択的に、SGWは、第二過負荷指示情報にしたがって過負荷制御ポリシーを実行する。あるいは、SGWは、モビリティ管理エンティティに送信されることになっている第一過負荷指示情報として第二過負荷指示情報を使用し（つまり、PGWによって送信された過負荷指示情報を転送する）、またはSGWは、前記第二過負荷指示情報および前記SGWに接続されたモビリティ管理エンティティの信号送信状態にしたがって、第一過負荷指示情報を決定する。その後、モビリティ管理エンティティは、PGWの過負荷に対する制御を実施するように、第一過負荷指示情報にしたがって過負荷制御ポリシーを実行する。
【０１９６】
したがって、本発明のこの実施形態における過負荷制御方法によれば、過負荷制御ポリシーを指示するために使用される第二過負荷指示情報は、モビリティ管理エンティティに送信されることになっていて過負荷制御ポリシーを指示するために使用される第一過負荷指示情報を、SGWが第二過負荷指示情報にしたがって決定するように、SGWに送信され、これにより、PGWの過負荷に対する制御を実施し、装置過負荷によってもたらされる悪影響を回避することができる。したがって、装置過負荷は効果的に制御されることが可能である。
【０１９７】
本発明のこの実施形態において、選択的に、過負荷制御ポリシーは、初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【０１９８】
本発明のこの実施形態において、第二過負荷指示情報は、過負荷制御ポリシーに関連付けられた指示または過負荷状態情報を含む。
【０１９９】
選択的に、第二過負荷指示情報は、過負荷制御率をさらに含む。
【０２００】
なお、第二過負荷指示情報の特定の形態は第一過負荷指示情報と類似であり、上記実施形態を参照することは、理解されるべきである。簡潔さのため、本明細書において再度詳細が記載されることはない。
【０２０１】
本発明のこの実施形態において、図16に示されるように、選択的に、S1510の前に、方法1500は、以下をさらに含む。
【０２０２】
S1530.PGWは、SGWによって送信された第二制御要求メッセージを受信する。
【０２０３】
S1510は、以下を含む。
【０２０４】
S1511.PGWは、PGWの負荷状態にしたがって第二過負荷指示情報を決定する。
【０２０５】
S1520は、以下を含む。
【０２０６】
S1521.PGWは第二制御応答メッセージをSGWに送信し、第二制御応答メッセージは第二過負荷指示情報を担持する。
【０２０７】
この実施形態において、過負荷指示情報は、制御メッセージを使用することによって送信される。SGWは、第二制御要求メッセージをPGWに送信する。PGWは、PGWの負荷状態にしたがって第二過負荷指示情報を決定し、過負荷制御ポリシーを指示するように、SGWに送信されることになっている第二制御応答メッセージ内に第二過負荷指示情報を含む。
【０２０８】
選択的に、S1511は、
PGWの負荷状態およびPGWに接続されたSGWの信号送信状態にしたがって、第二過負荷指示情報をPGWによって決定するステップを含む。
【０２０９】
PGWが複数のSGWに接続されているとき、異なるSGWに対して差別化された処理が行われてもよい。PGWは、異なる過負荷制御ポリシーを指示するように、PGWの負荷状態およびSGWの信号送信状態にしたがってSGWのための過負荷指示情報を決定する。
【０２１０】
本発明のこの実施形態において、図17に示されるように、選択的に、S1510の前に、方法1500は、以下をさらに含む。
【０２１１】
S1540.PGWは、SGWによって送信された第二経路検出要求メッセージを受信する。
【０２１２】
S1510は、以下を含む。
【０２１３】
S1511.PGWは、PGWの負荷状態にしたがって第二過負荷指示情報を決定する。
【０２１４】
S1520は、以下を含む。
【０２１５】
S1522.PGWは第二経路検出応答メッセージをSGWに送信し、第二経路検出応答メッセージは第二過負荷指示情報を担持する。
【０２１６】
この実施形態において、過負荷指示情報は、経路検出メッセージを使用することによって送信される。SGWは第二経路検出要求メッセージをPGWに送信する。PGWは、PGWの負荷状態にしたがって第二過負荷指示情報を決定し、過負荷制御ポリシーを指示するように、SGWに送信されることになっている第二経路検出応答メッセージ内に第二過負荷指示情報を含む。
【０２１７】
上記実施形態と同様に、S1511は、
PGWの負荷状態およびPGWに接続されたSGWの信号送信状態にしたがって、第二過負荷指示情報をPGWによって決定するステップを含む。
【０２１８】
具体的な説明については上記実施形態を参照されたく、詳細は本明細書内で再度記載されるものではない。
【０２１９】
本発明のこの実施形態において、図18に示されるように、選択的に、方法1500は、以下をさらに含む。
【０２２０】
S1550.PGWは遅延タイマに関する情報をSGWに送信する。
【０２２１】
過負荷指示情報の送信に加えて、PGWは、遅延タイマに関する情報をSGWにさらに同時に送信する。このように、過負荷指示情報をモビリティ管理エンティティに送信するとき、SGWは、遅延タイマが切れる前に過負荷制御ポリシーを行い、遅延タイマが切れた後にはもはや過負荷制御を行わないよう過負荷制御ポリシーを実行するようにモビリティ管理エンティティに命令するように、遅延タイマに関する情報をさらに同時に送信する。
【０２２２】
本発明のこの実施形態において、図19に示されるように、選択的に、S1510の前に、方法1500は、以下をさらに含む。
【０２２３】
S1560.PGWは、SGWによって送信された第二制御信号メッセージを受信する。
【０２２４】
S1510は、以下を含む。
【０２２５】
S1512.PGWは、遅延タイマに関する情報を含む第二制御信号応答メッセージとして第二過負荷指示情報を決定し、第二過負荷指示情報は、過負荷制御ポリシーが、第二制御信号と同じタイプを有する信号プロセスを制御していることを示唆する。
【０２２６】
この実施形態において、遅延タイマに関する情報を含む前記第二制御信号応答メッセージは、制御信号と同じタイプを有する信号プロセスを制御する過負荷制御ポリシーを実行するように命令するために使用される。つまり、遅延タイマに関する情報を含む前記第二制御信号応答メッセージは、制御信号と同じタイプを有する信号プロセスの制御に関連付けられている。SGWによって送信された前記第二制御信号メッセージを受信した後、PGWは遅延タイマに関する情報を含む前記第二制御信号応答メッセージをSGWに送信し、SGWは、遅延タイマが切れる前に制御信号と同じタイプを有する信号プロセスを制御するようにモビリティ管理エンティティに命令するように、遅延タイマに関する情報を含む前記第二制御信号応答メッセージをモビリティ管理エンティティに送信する。
【０２２７】
選択的に、S1512は、
遅延タイマに関する情報および過負荷制御率を含む第二制御信号応答メッセージとして第二過負荷指示情報をPGWによって決定するステップを含む。
【０２２８】
つまり、前記第二制御信号応答メッセージは、たとえば「a%」の過負荷制御率をさらに含んでもよい。
【０２２９】
なお、本発明のこの実施形態において、モビリティ管理エンティティの側から記載された、ゲートウェイ装置、モビリティ管理エンティティ、およびPGWの間の相互作用、関連する特徴、および機能は、ゲートウェイ装置の側から記載されたものに対応することは、理解されるべきである。簡潔さのため、本明細書において再度詳細が記載されることはない。
【０２３０】
本発明のこの実施形態における過負荷制御方法によれば、過負荷制御ポリシーを指示するために使用される第二過負荷指示情報はSGWに送信され、これにより、PGWの過負荷に対する制御を実施し、装置過負荷によってもたらされる悪影響を回避することができる。したがって、装置過負荷は効果的に制御されることが可能である。
【０２３１】
以下、具体例を参照して、本発明の実施形態を詳細に記載する。なお、これらの例は、単に本発明の実施形態を当業者がより良く理解できるように支援するよう意図されており、本発明の実施形態の範囲を限定するように意図されるものではないことに、注意する。
【０２３２】
LTEシステムにおけるアタッチ手順が、一例として使用される。図20に示されるように、SGWが過負荷になったとき、過負荷制御手順は以下のとおりである。
【０２３３】
2001.UEはMMEへのアタッチ要求を開始する。
【０２３４】
2002.MMEはセッション生成要求をSGWに送信する。
【０２３５】
2003.SGWはセッション生成応答をMMEに送信し、セッション生成応答は、過負荷指示情報および遅延タイマに関する情報を担持する。たとえば、セッション生成応答は、初期アクセスユーザの量を制限するように命令する指示1を担持する。
【０２３６】
2004.MMEはアタッチ拒否メッセージをUEに送信する。MMEは、UEのアタッチを拒否するために、セッション生成応答にしたがって過負荷制御ポリシーを実行する。
【０２３７】
図21に示されるように、PGWが過負荷になったとき、過負荷制御手順は以下のとおりである。
【０２３８】
2101.UEはMMEへのアタッチ要求を開始する。
【０２３９】
2102.MMEは第一セッション生成要求をSGWに送信する。
【０２４０】
2103.SGWは第二セッション生成要求をPGWに送信する。
【０２４１】
2104.PGWは第二セッション生成応答をSGWに送信し、第二セッション生成応答は、過負荷指示情報および遅延タイマに関する情報を担持する。
【０２４２】
2105.SGWは第一セッション生成応答をMMEに送信し、第一セッション生成応答は、過負荷指示情報および遅延タイマに関する情報を担持する。PGWの過負荷指示情報は直接転送されてもよく、あるいは過負荷指示情報は、PGWの過負荷指示情報およびMMEの信号送信状態にしたがって決定されてもよい。
【０２４３】
2106.MMEはアタッチ拒否メッセージをUEに送信する。MMEは、UEのアタッチを拒否するために、第一セッション生成応答にしたがって過負荷制御ポリシーを実行する。
【０２４４】
図22は、経路検出メッセージを使用することによる過負荷制御の実施のフローチャートである。
【０２４５】
2201.MMEはEcho要求をSGWに送信する。
【０２４６】
2202.SGWはEcho応答をMMEに送信し、Echo応答は過負荷指示情報および遅延タイマに関する情報を担持する。MMEは、過負荷制御を開始し、遅延タイマが切れたときに過負荷制御を終了するように、Echo応答にしたがって過負荷制御ポリシーを実行する。
【０２４７】
PGWが過負荷になっているシナリオについて、過負荷制御を行う手順は図23に示されている。
【０２４８】
2301.SGWは第二Echo要求をPGWに送信する。
【０２４９】
2302.PGWは第二Echo応答をSGWに送信し、第二Echo応答は過負荷指示情報および遅延タイマに関する情報を担持する。
【０２５０】
2303.MMEは第一Echo要求をSGWに送信する。
【０２５１】
2304.SGWは第一Echo応答をMMEに送信し、第一Echo応答は過負荷指示情報および遅延タイマに関する情報を担持する。PGWの過負荷指示情報は直接転送されてもよく、あるいは過負荷指示情報は、PGWの過負荷指示情報およびMMEの信号送信状態にしたがって決定されてもよい。MMEは、第一Echo応答にしたがって過負荷制御ポリシーを実行する。
【０２５２】
なお、本発明の様々な実施形態において、上記プロセスの連続番号が、実行順を意味するものではないことは、理解されるべきである。プロセスの実行順は、プロセスの機能および内部論理にしたがって決定されるべきであり、本発明の実施形態の実施プロセスに対するいかなる制限としても解釈されるべきではない。
【０２５３】
上記は、図1から図23を参照して、本発明の実施形態における過負荷制御方法を詳細に記載している。下記は、図24から図29を参照して、本発明の実施形態におけるゲートウェイ装置、モビリティ管理エンティティ、およびPGWを詳細に記載する。
【０２５４】
図24は、本発明の実施形態によるゲートウェイ装置2400の概略ブロック図を示す。図24に示されるように、ゲートウェイ装置2400は、
第一過負荷指示情報を決定するように構成され、第一過負荷指示情報は過負荷制御ポリシーを指示するために使用される、決定モジュール2410と、
モビリティ管理エンティティが第一過負荷指示情報にしたがって過負荷制御ポリシーを実行するように、第一過負荷指示情報をモビリティ管理エンティティに送信するように構成された、送信モジュール2420と、を含む。
【０２５５】
本発明のこの実施形態におけるゲートウェイ装置によれば、過負荷制御ポリシーを指示するために使用される過負荷指示情報は、モビリティ管理エンティティが過負荷制御ポリシーを実行するように、モビリティ管理エンティティに送信され、これにより、装置過負荷によってもたらされる悪影響を回避することができる。したがって、装置過負荷は効果的に制御されることが可能である。
【０２５６】
本発明のこの実施形態において、選択的に、ゲートウェイ装置2400は、
決定モジュール2410が第一過負荷指示情報を決定する前に、モビリティ管理エンティティによって送信された第一制御要求メッセージを受信するように構成された、第一受信モジュールを、さらに含む。
【０２５７】
決定モジュール2410は、ゲートウェイ装置の負荷状態にしたがって第一過負荷指示情報を決定するように、具体的に構成されている。
【０２５８】
送信モジュール2420は、第一制御応答メッセージをモビリティ管理エンティティに送信するように具体的に構成されており、第一制御応答メッセージは第一過負荷指示情報を担持する。
【０２５９】
本発明のこの実施形態において、選択的に、ゲートウェイ装置2400は、
決定モジュール2410が第一過負荷指示情報を決定する前に、モビリティ管理エンティティによって送信された第一経路検出要求メッセージを受信するように構成された、第二受信モジュールを、さらに含む。
【０２６０】
決定モジュール2410は、ゲートウェイ装置の負荷状態にしたがって第一過負荷指示情報を決定するように、具体的に構成されている。
【０２６１】
送信モジュール2420は、第一経路検出応答メッセージをモビリティ管理エンティティに送信するように具体的に構成されており、第一経路検出応答メッセージは第一過負荷指示情報を担持する。
【０２６２】
本発明のこの実施形態において、選択的に、決定モジュール2410は、ゲートウェイ装置の負荷状態、およびゲートウェイ装置に接続されたモビリティ管理エンティティの信号送信状態にしたがって、第一過負荷指示情報を決定するように、具体的に構成されている。
【０２６３】
本発明のこの実施形態において、選択的に、ゲートウェイ装置2400はSGWである。
【０２６４】
ゲートウェイ装置2400は、
決定モジュール2410が第一過負荷指示情報を決定する前に、モビリティ管理エンティティによって送信された第一制御要求メッセージを受信するように構成された、第三受信モジュールを、さらに含む。
【０２６５】
送信モジュール2420は、第二制御要求メッセージをパケットデータネットワークゲートウェイPGWに送信するように、さらに構成されている。
【０２６６】
第三受信モジュールはPGWによって送信された第二制御応答メッセージを受信するようにさらに構成されており、第二制御応答メッセージは、PGWによって決定されて過負荷制御ポリシーを指示するために使用される第二過負荷指示情報を担持する。
【０２６７】
決定モジュール2410は、第一過負荷指示情報として第二過負荷指示情報を決定するように、または第二過負荷指示情報およびSGWに接続されたモビリティ管理エンティティの信号送信状態にしたがって第一過負荷指示情報を決定するように、具体的に構成されている。
【０２６８】
送信モジュール2420は、第一制御応答メッセージをモビリティ管理エンティティに送信するように、具体的に構成されており、第一制御応答メッセージは第一過負荷指示情報を担持する。
【０２６９】
本発明のこの実施形態において、選択的に、ゲートウェイ装置2400はSGWである。
【０２７０】
送信モジュール2420は、決定モジュール2410が第一過負荷指示情報を決定する前に、第二経路検出要求メッセージをPGWに送信するように、さらに構成されている。
【０２７１】
ゲートウェイ装置2400は、
PGWによって送信された第二経路検出応答メッセージを受信するように構成されており、第二経路検出応答メッセージは、PGWによって決定されて過負荷制御ポリシーを指示するために使用される第二過負荷指示情報を担持する、第四受信モジュールを、さらに含む。
【０２７２】
決定モジュール2410は、第一過負荷指示情報として第二過負荷指示情報を決定するように、または第二過負荷指示情報およびSGWに接続されたモビリティ管理エンティティの信号送信状態にしたがって第一過負荷指示情報を決定するように、具体的に構成されている。
【０２７３】
送信モジュール2420は、第一経路検出メッセージをモビリティ管理エンティティに送信するように具体的に構成されており、第一経路検出メッセージは第一過負荷指示情報を担持する。
【０２７４】
本発明のこの実施形態において、送信モジュール2420は、遅延タイマが切れる前にモビリティ管理エンティティが第一過負荷指示情報にしたがって過負荷制御ポリシーを実行するように、遅延タイマに関する情報をモビリティ管理エンティティに送信するように、さらに構成されている。
【０２７５】
本発明のこの実施形態において、選択的に、過負荷制御ポリシーは、初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【０２７６】
本発明のこの実施形態において、選択的に、第一過負荷指示情報は、過負荷制御ポリシーに関連付けられた指示または過負荷状態情報を含む。
【０２７７】
選択的に、第一過負荷指示情報は過負荷制御率をさらに含む。
【０２７８】
本発明のこの実施形態において、選択的に、ゲートウェイ装置2400は、
決定モジュール2410が第一過負荷指示情報を決定する前に、モビリティ管理エンティティによって送信された第一制御信号メッセージを受信するように構成された、第五受信モジュールを、さらに含む。
【０２７９】
決定モジュール2410は、遅延タイマに関する情報を含む第一制御信号応答メッセージとして第一過負荷指示情報を決定するように具体的に構成されており、第一過負荷指示情報は、第一制御信号と同じタイプを有する信号プロセスを過負荷制御ポリシーが制御していることを示唆する。
【０２８０】
選択的に、決定モジュール2410は、遅延タイマに関する情報および過負荷制御率を含む第一制御信号応答メッセージとして第一過負荷指示情報を決定するように、具体的に構成されている。
【０２８１】
本発明のこの実施形態によるゲートウェイ装置2400は、本発明の実施形態による過負荷制御方法におけるゲートウェイ装置に対応してもよく、ゲートウェイ装置2400内のモジュールの上記およびその他の動作および／または機能は、図1から図23の方法の対応する手順を実施するために、個別に使用される。簡潔さのため、本明細書において再度詳細が記載されることはない。
【０２８２】
本発明のこの実施形態におけるゲートウェイ装置によれば、過負荷制御ポリシーを指示するために使用される過負荷指示情報は、モビリティ管理エンティティが過負荷指示情報にしたがって過負荷制御ポリシーを実行するように、モビリティ管理エンティティに送信され、これにより、装置過負荷によってもたらされる悪影響を回避することができる。したがって、装置過負荷は効果的に制御されることが可能である。
【０２８３】
図25は、本発明の実施形態によるモビリティ管理エンティティ2500の概略ブロック図である。図25に示されるように、モビリティ管理エンティティ2500は、
ゲートウェイ装置によって送信された第一過負荷指示情報を受信するように構成され、第一過負荷指示情報は過負荷制御ポリシーを指示するために使用される、受信モジュール2510と、
第一過負荷指示情報にしたがって過負荷制御ポリシーを実行するように構成された処理モジュール2520と、を含む。
【０２８４】
本発明のこの実施形態におけるモビリティ管理エンティティによれば、ゲートウェイ装置によって送信されて過負荷制御ポリシーを指示するために使用される過負荷指示情報が受信され、過負荷制御ポリシーは過負荷指示情報にしたがって実行され、これにより、装置過負荷によってもたらされる悪影響を回避することができる。したがって、装置過負荷は効果的に制御されることが可能である。
【０２８５】
本発明のこの実施形態において、選択的に、モビリティ管理エンティティ2500は、
受信モジュール2510がゲートウェイ装置によって送信された第一過負荷指示情報を受信する前に、第一制御要求メッセージをゲートウェイ装置に送信するように構成された、第一送信モジュールを、さらに含む。
【０２８６】
受信モジュール2510は、ゲートウェイ装置によって送信された第一制御応答メッセージを受信するように具体的に構成されており、第一制御応答メッセージは第一過負荷指示情報を担持し、第一過負荷指示情報はゲートウェイ装置の負荷状態にしたがってゲートウェイ装置によって決定され、または第一過負荷指示情報は、ゲートウェイ装置の負荷状態およびゲートウェイ装置に接続されたモビリティ管理エンティティの信号送信状態にしたがってゲートウェイ装置によって決定される。
【０２８７】
本発明のこの実施形態において、モビリティ管理エンティティ2500は、
受信モジュール2510がゲートウェイ装置によって送信された第一過負荷指示情報を受信する前に、第一経路検出要求メッセージをゲートウェイ装置に送信するように構成された、第二送信モジュールを、さらに含む。
【０２８８】
受信モジュール2510は、ゲートウェイ装置によって送信された第一経路検出応答メッセージを受信するように、具体的に構成されており、第一経路検出応答メッセージは第一過負荷指示情報を担持し、第一過負荷指示情報はゲートウェイ装置の負荷状態にしたがってゲートウェイ装置によって決定され、または第一過負荷指示情報は、ゲートウェイ装置の負荷状態およびゲートウェイ装置に接続されたモビリティ管理エンティティの信号送信状態にしたがってゲートウェイ装置によって決定される。
【０２８９】
本発明のこの実施形態において、選択的に、ゲートウェイ装置はSGWである。
【０２９０】
モビリティ管理エンティティ2500は、
SGWが、第二制御要求メッセージをパケットデータネットワークゲートウェイPGWに送信し、PGWによって送信された第二制御応答メッセージを受信するように、受信モジュール2510がゲートウェイ装置によって送信された第一過負荷指示情報を受信する前に第一制御要求メッセージをSGWに送信するように構成された第三送信モジュールであって、第二制御応答メッセージは、前記PGWによって決定されて過負荷制御ポリシーを指示するために使用される第二過負荷指示情報を担持する、第三送信モジュールを、さらに含む。
【０２９１】
受信モジュール2510は、SGWによって送信された第一制御応答メッセージを受信するように、具体的に構成されており、第一制御応答メッセージは第一過負荷指示情報を担持し、第一過負荷指示情報は、SGWによって転送された第二過負荷指示情報、または第二過負荷指示情報およびSGWに接続されたモビリティ管理エンティティの信号送信状態にしたがってSGWによって決定された第一過負荷指示情報である。
【０２９２】
本発明のこの実施形態において、選択的に、ゲートウェイ装置はSGWである。
【０２９３】
受信モジュール2510は、SGWによって送信された第一経路検出メッセージを受信するように、具体的に構成されており、第一経路検出メッセージは第一過負荷指示情報を担持し、第一過負荷指示情報は、SGWによって転送され、PGWによって決定され、過負荷制御ポリシーを指示するために使用される、第二過負荷指示情報であり、または第一過負荷指示情報は、第二過負荷指示情報およびSGWに接続されたモビリティ管理エンティティの信号送信状態にしたがってSGWによって決定される。
【０２９４】
本発明のこの実施形態において、選択的に、受信モジュール2510は、ゲートウェイ装置によって送信された遅延タイマに関する情報を受信するように、さらに構成されている。
【０２９５】
処理モジュール2520は、遅延タイマが切れる前に、第一過負荷指示情報にしたがって過負荷制御ポリシーを実行するように、具体的に構成されている。
【０２９６】
本発明のこの実施形態において、選択的に、過負荷制御ポリシーは、初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを、含む。
【０２９７】
本発明のこの実施形態において、選択的に、第一過負荷指示情報は、過負荷制御ポリシーに関連付けられた指示または過負荷状態情報を含む。
【０２９８】
処理モジュール2520は、指示または過負荷状態情報に関連付けられた過負荷制御ポリシーを実行するように、具体的に構成されている。
【０２９９】
本発明のこの実施形態において、選択的に、第一過負荷指示情報は、過負荷制御率をさらに含む。
【０３００】
処理モジュール2520は、過負荷制御率にしたがって、指示または過負荷状態情報に関連付けられた過負荷制御ポリシーを実行するように、具体的に構成されている。
【０３０１】
本発明のこの実施形態において、選択的に、モビリティ管理エンティティ2500は、
受信モジュール2510がゲートウェイ装置によって送信された第一過負荷指示情報を受信する前に、第一制御信号メッセージをゲートウェイ装置に送信するように構成された、第四送信モジュールを、さらに含む。
【０３０２】
受信モジュール2510は、ゲートウェイ装置によって送信されて遅延タイマに関する情報を含む第一制御信号応答メッセージを受信するように、具体的に構成されており、第一制御信号応答メッセージは第一制御信号と同じタイプを有する信号プロセスを過負荷制御ポリシーが制御していることを示唆する。
【０３０３】
処理モジュール2520は、第一制御信号応答メッセージにしたがって、第一制御信号と同じタイプを有する信号プロセスを制御するように、具体的に構成されている。
【０３０４】
本発明のこの実施形態において、選択的に、第一制御信号応答メッセージは、過負荷制御率をさらに含む。
【０３０５】
処理モジュール2520は、過負荷制御率にしたがって、第一制御信号と同じタイプを有する信号プロセスを制御するように、具体的に構成されている。
【０３０６】
本発明のこの実施形態によるモビリティ管理エンティティ2500は、本発明の実施形態による過負荷制御方法におけるモビリティ管理エンティティに対応してもよく、モビリティ管理エンティティ2500内のモジュールの上記およびその他の動作および／または機能は、図1から図23の方法の対応する手順を実施するために、個別に使用される。簡潔さのため、本明細書において再度詳細が記載されることはない。
【０３０７】
本発明のこの実施形態によるモビリティ管理エンティティによれば、過負荷制御ポリシーは、ゲートウェイ装置によって送信されて過負荷制御ポリシーを指示するために使用される過負荷指示情報にしたがって実行され、これにより、装置過負荷にしたがって、装置過負荷は効果的に制御されることが可能である。
【０３０８】
図26は、本発明の実施形態によるPGW2600の概略ブロック図である。図26に示されるようにPGW2600は、
第二過負荷指示情報を決定するように構成されており、第二過負荷指示情報は過負荷制御ポリシーを指示するために使用される、決定モジュール2610と、
SGWが第二過負荷指示情報にしたがって過負荷制御を行うように、第二過負荷指示情報をサービングゲートウェイSGWに送信するように構成された、送信モジュール2620と、を含む。
【０３０９】
選択的に、第二過負荷指示情報は、モビリティ管理エンティティに送信されることになっていて過負荷制御ポリシーを指示するために使用される第一過負荷指示情報を、第二過負荷指示情報にしたがってSGWが決定できるようにするために使用され、または選択的に、第二過負荷指示情報は、第二過負荷指示情報にしたがって過負荷制御ポリシーをSGWが実行できるようにするために使用される。
【０３１０】
本発明のこの実施形態におけるPGWによれば、過負荷制御ポリシーを指示するために使用される第二過負荷指示情報は、SGWが、モビリティ管理エンティティに送信されることになっており過負荷制御ポリシーを指示するために使用される第一過負荷指示情報を、第二過負荷指示情報にしたがって決定するように、SGWに送信され、これにより、PGWの過負荷に対する制御を実施し、装置過負荷によってもたらされる悪影響を回避することができる。したがって、装置過負荷は効果的に制御されることが可能である。
【０３１１】
本発明のこの実施形態において、選択的に、PGW2600は、
決定モジュール2610が第二過負荷指示情報を決定する前に、SGWによって送信された第二制御要求メッセージを受信するように構成された、第一受信モジュールを、さらに含む。
【０３１２】
決定モジュール2610は、PGWの負荷状態にしたがって第二過負荷指示情報を決定するように、具体的に構成されている。
【０３１３】
送信モジュール2620は、第二制御応答メッセージをSGWに送信するように具体的に構成されており、第二制御応答メッセージは第二過負荷指示情報を担持する。
【０３１４】
本発明のこの実施形態において、選択的に、PGW2600は、
決定モジュール2610が第二過負荷指示情報を決定する前に、SGWによって送信された第二経路検出要求メッセージを受信するように構成された、第二受信モジュールを、さらに含む。
【０３１５】
決定モジュール2610は、PGWの負荷状態にしたがって第二過負荷指示情報を決定するように、具体的に構成されている。
【０３１６】
送信モジュール2620は、第二経路検出応答メッセージをSGWに送信するように具体的に構成されており、第二経路検出応答メッセージは第二過負荷指示情報を担持する。
【０３１７】
本発明のこの実施形態において、選択的に、決定モジュール2610は、PGWの負荷状態、およびPGWに接続されたSGWの信号送信状態にしたがって第二過負荷指示情報を決定するように、具体的に構成されている。
【０３１８】
本発明のこの実施形態において、選択的に、送信モジュール2620は、遅延タイマに関する情報をSGWに送信するように、さらに構成されている。
【０３１９】
本発明のこの実施形態において、選択的に、過負荷制御ポリシーは、初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを、含む。
【０３２０】
本発明のこの実施形態において、選択的に、第二過負荷指示情報は、過負荷制御ポリシーに関連付けられた指示または過負荷状態情報を含む。
【０３２１】
選択的に、第二過負荷指示情報は、過負荷制御率をさらに含む。
【０３２２】
本発明のこの実施形態において、選択的に、PGW2600は、
決定モジュール2610が第二過負荷指示情報を決定する前に、SGWによって送信された第二制御信号メッセージを受信するように構成された第三受信モジュールを、さらに含む。
【０３２３】
決定モジュール2610は、遅延タイマに関する情報を含む第二制御信号応答メッセージとして第二過負荷指示情報を決定するように、具体的に構成されており、第二過負荷指示情報は、過負荷制御ポリシーが、第二制御信号と同じタイプを有する信号プロセスを制御していることを示唆する。
【０３２４】
選択的に、決定モジュール2610は、遅延タイマに関する情報および過負荷制御率を含む第二制御信号応答メッセージとして第二過負荷指示情報を決定するように、具体的に構成されている。
【０３２５】
本発明のこの実施形態によるPGW2600は、本発明の実施形態による過負荷制御方法におけるPGWに対応し、PGW2600内のモジュールの上記およびその他の動作および／または機能は、図1から図23の方法の対応する手順を実施するために、個別に使用される。簡潔さのため、本明細書において再度詳細が記載されることはない。
【０３２６】
本発明のこの実施形態におけるPGWによれば、過負荷制御ポリシーを指示するために使用される第二過負荷指示情報はSGWに送信され、これにより、PGWの過負荷に対する制御を実施し、装置過負荷によってもたらされる悪影響を回避することができる。したがって、装置過負荷は効果的に制御されることが可能である。
【０３２７】
図27は、本発明の別の実施形態によるゲートウェイ装置の構造を示す。ゲートウェイ装置は、少なくとも1つのプロセッサ2702（たとえば、CPU）、少なくとも1つのネットワークインターフェース2705またはその他の通信インターフェース、メモリ2706、およびこれらの装置間の接続および通信を実施するように構成された少なくとも1つの通信バス2703を含む。プロセッサ2702は、メモリ2706内に記憶された、たとえばコンピュータプログラムなどの実行可能モジュールを実行するように、構成されている。メモリ2706は、高速ランダムアクセスメモリ（RAM: Random Access Memory）を含んでもよく、たとえば少なくとも1つの磁気ディスクメモリなどの、不揮発性メモリ（non-volatile memory）をさらに含んでもよい。少なくとも1つの（無線または有線のいずれであってもよい）ネットワークインターフェース2705を通じて、ゲートウェイ装置と、インターネット、広域ネットワーク、ローカルエリアネットワーク、メトロポリタンエリアネットワークなどにあるその他のネットワーク要素のうちの少なくとも1つとの間で、通信接続が実施される。
【０３２８】
いくつかの実施方法において、プログラム27061がメモリ2706内に記憶され、プログラム27061はプロセッサ2702によって実行されてもよい。このプログラムは、
第一過負荷指示情報を決定するステップであって、第一過負荷指示情報は過負荷制御ポリシーを指示するために使用されるステップと；モビリティ管理エンティティが第一過負荷指示情報にしたがって過負荷制御ポリシーを実行するように、第一過負荷指示情報を前記ゲートウェイ装置によってモビリティ管理エンティティに送信するステップと、を実行するように構成される。
【０３２９】
選択的に、第一過負荷指示情報をゲートウェイ装置によって決定するステップの前に、プログラムは、さらに、モビリティ管理エンティティによって送信された第一制御要求メッセージを受信するステップを、さらに含む。第一過負荷指示情報をゲートウェイ装置によって決定するステップは、ゲートウェイ装置の負荷状態にしたがって、第一過負荷指示情報をゲートウェイ装置によって決定するステップを含む。第一過負荷指示情報をゲートウェイ装置によってモビリティ管理エンティティに送信するステップは、第一制御応答メッセージをゲートウェイ装置によってモビリティ管理エンティティに送信するステップであって、第一制御応答メッセージは第一過負荷指示情報を担持する、ステップをを実行するように構成される。
【０３３０】
選択的に、第一過負荷指示情報をゲートウェイ装置によって決定するステップの前に、プログラムは、モビリティ管理エンティティによって送信された第一経路検出要求メッセージをゲートウェイ装置によって受信するステップを、さらに含む。第一過負荷指示情報をゲートウェイ装置によって決定するステップは、ゲートウェイ装置の負荷状態にしたがって、第一過負荷指示情報をゲートウェイ装置によって決定するステップを含む。第一過負荷指示情報をゲートウェイ装置によってモビリティ管理エンティティに送信するステップは、第一経路検出応答メッセージをゲートウェイ装置によってモビリティ管理エンティティに送信するステップであって、第一経路検出応答メッセージは第一過負荷指示情報を担持する、ステップを含む。
【０３３１】
選択的に、ゲートウェイ装置の負荷状態にしたがって第一過負荷指示情報をゲートウェイ装置によって決定するステップは、ゲートウェイ装置の負荷状態およびゲートウェイ装置に接続されたモビリティ管理エンティティの信号送信状態にしたがって第一過負荷指示情報をゲートウェイ装置によって決定するステップを、含む。
【０３３２】
選択的に、ゲートウェイ装置はSGWである。第一過負荷指示情報をゲートウェイ装置によって決定するステップの前に、プログラムは、モビリティ管理エンティティによって送信された第一制御要求メッセージをSGWによって受信するステップと；第二制御要求メッセージをSGWによってパケットデータネットワークゲートウェイPGWに送信するステップと；PGWによって送信された第二制御応答メッセージをSGWによって受信するステップであって、第二制御応答メッセージはPGWによって決定されて過負荷制御ポリシーを指示するために使用される第二過負荷指示情報を担持するステップとを、さらに含む。第一過負荷指示情報をゲートウェイ装置によって決定するステップは、第一過負荷指示情報として第二過負荷指示情報をSGWによって決定するステップ、または第二過負荷指示情報およびSGWに接続されたモビリティ管理エンティティの信号送信状態にしたがって、第一過負荷指示情報をSGWによって決定するステップを、含む。第一過負荷指示情報をゲートウェイ装置によって前記モビリティ管理エンティティに送信するステップは、第一制御応答メッセージをSGWによってモビリティ管理エンティティに送信するステップであって、第一制御応答メッセージは第一過負荷指示情報を担持する、ステップを含む。
【０３３３】
選択的に、ゲートウェイ装置はSGWである。第一過負荷指示情報をゲートウェイ装置によって決定するステップの前に、プログラムは、第二経路検出要求メッセージをSGWによってPGWに送信するステップと、PGWによって送信された第二経路検出応答メッセージをSGWによって受信するステップであって、第二経路検出応答メッセージは、PGWによって決定されて過負荷制御ポリシーを指示するために使用される第二過負荷指示情報を担持する、ステップとを、さらに含む。第一過負荷指示情報をゲートウェイ装置によって決定するステップは、第一過負荷指示情報として第二過負荷指示情報をSGWによって決定するステップと、第二過負荷指示情報およびSGWに接続されたモビリティ管理エンティティの信号送信状態にしたがって第一過負荷指示情報をSGWによって決定するステップと、を含む。第一過負荷指示情報をゲートウェイ装置によってモビリティ管理エンティティに送信するステップは、第一経路検出メッセージをSGWによってモビリティ管理エンティティに送信するステップであって、第一経路検出メッセージは第一過負荷指示情報を担持する、ステップを含む。
【０３３４】
選択的に、プログラムは、遅延タイマが切れる前にモビリティ管理エンティティが第一過負荷指示情報にしたがって過負荷制御ポリシーを実行するように、遅延タイマに関する情報をゲートウェイ装置によってモビリティ管理エンティティに送信するステップを、さらに含む。
【０３３５】
選択的に、過負荷制御ポリシーは、初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【０３３６】
選択的に、第一過負荷指示情報は、過負荷制御ポリシーに関連付けられた指示または過負荷状態情報を含む。
【０３３７】
選択的に、第一過負荷指示情報は、過負荷制御率をさらに含む。
【０３３８】
選択的に、第一過負荷指示情報をゲートウェイ装置によって決定するステップの前に、プログラムは、モビリティ管理エンティティによって送信された第一制御信号メッセージをゲートウェイ装置によって受信するステップを、さらに含む。第一過負荷指示情報をゲートウェイ装置によって決定するステップは、遅延タイマに関する情報を含む第一制御信号応答メッセージとして第一過負荷指示情報をゲートウェイ装置によって決定するステップであって、第一過負荷指示情報は、第一制御信号と同じタイプを有する信号プロセスを過負荷制御ポリシーが制御していることを示唆する、ステップを含む。
【０３３９】
選択的に、遅延タイマに関する情報を含む第一制御信号応答メッセージとして第一過負荷指示情報をゲートウェイ装置によって決定するステップは、遅延タイマに関する情報および過負荷制御率を含む第一制御信号応答メッセージとして第一過負荷指示情報をゲートウェイ装置によって決定するステップを含む。
【０３４０】
本発明のこの実施形態において、過負荷制御ポリシーを指示するために使用される過負荷指示情報は、モビリティ管理エンティティが過負荷制御ポリシーを実行するように、モビリティ管理エンティティに送信され、これにより、装置過負荷によってもたらされる悪影響を回避することができ、したがって装置過負荷は効果的に制御されることが可能であることが、本発明のこの実施形態における上記技術的解決法からわかるだろう。
【０３４１】
図28は、本発明の別の実施形態によるモビリティ管理エンティティの構造を示す。モビリティ管理エンティティは、少なくとも1つのプロセッサ2802（たとえば、CPU）、少なくとも1つのネットワークインターフェース2805またはその他の通信インターフェース、メモリ2806、およびこれらの装置間の接続および通信を実施するように構成された少なくとも1つの通信バス2803を含む。プロセッサ2802は、メモリ2806内に記憶された、たとえばコンピュータプログラムなどの実行可能モジュールを実行するように、構成されている。メモリ2806は、高速ランダムアクセスメモリ（RAM: Random Access Memory）を含んでもよく、たとえば少なくとも1つの磁気ディスクメモリなどの、不揮発性メモリ（non-volatile memory）をさらに含んでもよい。少なくとも1つの（無線または有線のいずれであってもよい）ネットワークインターフェース2805を通じて、システムゲートウェイと、インターネット、広域ネットワーク、ローカルエリアネットワーク、メトロポリタンエリアネットワークなどにあるその他のネットワーク要素のうちの少なくとも1つとの間で、通信接続が実施される。
【０３４２】
いくつかの実施方法において、プログラム28061がメモリ2806内に記憶され、プログラム28061はプロセッサ2802によって実行されてもよい。このプログラムは、
ゲートウェイ装置によって送信された第一過負荷指示情報をモビリティ管理エンティティによって受信するステップであって、第一過負荷指示情報は過負荷制御ポリシーを指示するために使用されるステップと；第一過負荷指示情報にしたがって過負荷制御ポリシーをモビリティ管理エンティティによって実行するステップと、を含む。
【０３４３】
選択的に、ゲートウェイ装置によって送信された第一過負荷指示情報をモビリティ管理エンティティによって受信するステップの前に、プログラムは、第一制御要求メッセージをモビリティ管理エンティティによってゲートウェイ装置に送信するステップを、さらに含む。ゲートウェイ装置によって送信された第一過負荷指示情報をモビリティ管理エンティティによって受信するステップは、ゲートウェイ装置によって送信された第一制御応答メッセージをモビリティ管理エンティティによって受信するステップであって、第一制御応答メッセージは第一過負荷指示情報を担持し、第一過負荷指示情報はゲートウェイ装置の負荷状態にしたがってゲートウェイ装置によって決定され、または第一過負荷指示情報は、ゲートウェイ装置の負荷状態およびゲートウェイ装置に接続されたモビリティ管理エンティティの信号送信状態にしたがってゲートウェイ装置によって決定される、ステップを含む。
【０３４４】
選択的に、ゲートウェイ装置によって送信された第一過負荷指示情報をモビリティ管理エンティティによって受信するステップの前に、プログラムは、第一経路検出要求メッセージをモビリティ管理エンティティによってゲートウェイ装置に送信するステップを、さらに含む。ゲートウェイ装置によって送信された第一過負荷指示情報をモビリティ管理エンティティによって受信するステップは、ゲートウェイ装置によって送信された第一経路検出応答メッセージをモビリティ管理エンティティによって受信するステップであって、第一経路検出応答メッセージは第一過負荷指示情報を担持し、第一過負荷指示情報はゲートウェイ装置の負荷状態にしたがってゲートウェイ装置によって決定され、または第一過負荷指示情報は、ゲートウェイ装置の負荷状態およびゲートウェイ装置に接続されたモビリティ管理エンティティの信号送信状態にしたがってゲートウェイ装置によって決定される、ステップを含む。
【０３４５】
選択的に、ゲートウェイ装置はSGWである。ゲートウェイ装置によって送信された第一過負荷指示情報をモビリティ管理エンティティによって受信するステップの前に、プログラムは、SGWが第二制御要求メッセージをパケットデータネットワークゲートウェイPGWに送信し、PGWによって送信された第二制御応答メッセージを受信するように、第一制御要求メッセージをモビリティ管理エンティティによってSGWに送信するステップであって、第二制御応答メッセージは、PGWによって決定されて過負荷制御ポリシーを指示するために使用される第二過負荷指示情報を担持するステップを、さらに含む。ゲートウェイ装置によって送信された第一過負荷指示情報をモビリティ管理エンティティによって受信するステップは、SGWによって送信された第一制御応答メッセージをモビリティ管理エンティティによって受信するステップであって、第一制御応答メッセージは第一過負荷指示情報を担持し、第一過負荷指示情報は、SGWによって転送された第二過負荷指示情報、または第二過負荷指示情報およびSGWに接続されたモビリティ管理エンティティの信号送信状態にしたがってSGWによって決定された第一過負荷指示情報である、ステップを含む。
【０３４６】
選択的に、ゲートウェイ装置はSGWである。ゲートウェイ装置によって送信された第一過負荷指示情報をモビリティ管理エンティティによって受信するステップは、SGWによって送信された第一経路検出メッセージをモビリティ管理エンティティによって受信するステップであって、第一経路検出メッセージは第一過負荷指示情報を担持し、第一過負荷指示情報は、SGWによって転送され、PGWによって決定され、過負荷制御ポリシーを指示するために使用される第二過負荷指示情報であり、第一過負荷指示情報は、第二過負荷指示情報およびSGWに接続されたモビリティ管理エンティティの信号送信状態にしたがってSGWによって決定される、ステップを含む。
【０３４７】
選択的に、プログラムは、ゲートウェイ装置によって送信された遅延タイマに関する情報をモビリティ管理エンティティによって受信するステップを、さらに含む。第一過負荷指示情報にしたがって前記過負荷制御ポリシーを前記モビリティ管理エンティティによって実行するステップは、遅延タイマが切れる前に第一過負荷指示情報にしたがって過負荷制御ポリシーをモビリティ管理エンティティによって実行するステップを含む。
【０３４８】
選択的に、過負荷制御ポリシーは、初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【０３４９】
選択的に、第一過負荷指示情報は、過負荷制御ポリシーに関連付けられた指示または過負荷状態情報を含む。第一過負荷指示情報にしたがって過負荷制御ポリシーをモビリティ管理エンティティによって実行するステップは、指示または過負荷状態情報に関連付けられた過負荷制御ポリシーをモビリティ管理エンティティによって実行するステップを含む。
【０３５０】
選択的に、第一過負荷指示情報は過負荷制御率をさらに含む。第一過負荷指示情報にしたがって過負荷制御ポリシーをモビリティ管理エンティティによって実行するステップは、過負荷制御率にしたがってモビリティ管理エンティティによって、指示または過負荷状態情報に関連付けられた過負荷制御ポリシーを実行するステップを含む。
【０３５１】
選択的に、ゲートウェイ装置によって送信された第一過負荷指示情報をモビリティ管理エンティティによって受信するステップの前に、プログラムは、第一制御信号メッセージをモビリティ管理エンティティによってゲートウェイ装置に送信するステップを、さらに含む。ゲートウェイ装置によって送信された第一過負荷指示情報をモビリティ管理エンティティによって受信するステップは、ゲートウェイ装置によって送信され、遅延タイマに関する情報を含む第一制御信号応答メッセージを、モビリティ管理エンティティによって受信するステップであって、第一制御信号応答メッセージは第一制御信号と同じタイプを有する信号プロセスを過負荷制御ポリシーが制御していることを示唆する、ステップを含む。第一過負荷指示情報にしたがって過負荷制御ポリシーをモビリティ管理エンティティによって実行するステップは、第一制御信号と同じタイプを有する信号プロセスを、第一制御信号応答メッセージにしたがってモビリティ管理エンティティによって制御するステップを含む。
【０３５２】
選択的に、第一制御信号応答メッセージは過負荷制御率をさらに含む。第一過負荷指示情報にしたがって過負荷制御ポリシーをモビリティ管理エンティティによって実行するステップは、第一制御信号と同じタイプを有する信号プロセスを、過負荷制御率にしたがってモビリティ管理エンティティによって制御するステップを含む。
【０３５３】
本発明のこの実施形態において、ゲートウェイ装置によって送信されて過負荷制御ポリシーを指示するために使用される過負荷指示情報が受信され、過負荷制御ポリシーは過負荷指示情報にしたがって実行され、これにより、装置過負荷によってもたらされる悪影響を回避することができ、したがって装置過負荷は効果的に制御されることが可能であることが、本発明のこの実施形態において提供される上記技術的解決法からわかるだろう。
【０３５４】
図29は、本発明の別の実施形態によるPGWの構造を示す。PGWは、少なくとも1つのプロセッサ2902（たとえば、CPU）、少なくとも1つのネットワークインターフェース2905またはその他の通信インターフェース、メモリ2906、およびこれらの装置間の接続および通信を実施するように構成された少なくとも1つの通信バス2903を含む。プロセッサ2902は、メモリ2906内に記憶されたたとえばコンピュータプログラムなどの実行可能モジュールを実行するように、構成されている。メモリ2906は、高速ランダムアクセスメモリ（RAM: Random Access Memory）を含んでもよく、たとえば少なくとも1つの磁気ディスクメモリなどの、不揮発性メモリ（non-volatile memory）をさらに含んでもよい。少なくとも1つの（無線または有線のいずれであってもよい）ネットワークインターフェース2905を通じて、システムゲートウェイと、インターネット、広域ネットワーク、ローカルエリアネットワーク、メトロポリタンエリアネットワークなどにあるその他のネットワーク要素のうちの少なくとも1つとの間で、通信接続が実施される。
【０３５５】
いくつかの実施方法において、プログラム29061がメモリ2906内に記憶され、プログラム29061はプロセッサ2902によって実行されてもよい。このプログラムは、
第二過負荷指示情報をPGWによって決定するステップであって、第二過負荷指示情報は過負荷制御ポリシーを指示するために使用される、ステップと；サービングゲートウェイSGWが第二過負荷指示情報にしたがって過負荷制御を行うように、第二過負荷指示情報をPGWによってSGWに送信するステップと、を含む。
【０３５６】
選択的に、第二過負荷指示情報は、モビリティ管理エンティティに送信されることになっていて過負荷制御ポリシーを指示するために使用される第一過負荷指示情報を、第二過負荷指示情報にしたがってSGWが決定できるようにするために使用され、または第二過負荷指示情報は、第二過負荷指示情報にしたがって過負荷制御ポリシーをSGWが実行できるようにするために使用される。
【０３５７】
選択的に、第二過負荷指示情報をPGWによって決定するステップの前に、プログラムは、SGWによって送信された第二制御要求メッセージをPGWによって受信するステップを、さらに含む。第二過負荷指示情報をPGWによって決定するステップは、PGWの負荷状態にしたがって第二過負荷指示情報をPGWによって決定するステップを含む。第二過負荷指示情報をPGWによってサービングゲートウェイSGWに送信するステップは、第二制御応答メッセージをPGWによってSGWに送信するステップであって、第二制御応答メッセージは第二過負荷指示情報を担持する、ステップを含む。
【０３５８】
選択的に、第二過負荷指示情報をPGWによって決定するステップの前に、プログラムは、SGWによって送信された第二経路検出要求メッセージをPGWによって受信するステップを、さらに含む。第二過負荷指示情報をPGWによって決定するステップは、PGWの負荷状態にしたがって第二過負荷指示情報をPGWによって決定するステップを含む。第二過負荷指示情報をPGWによってサービングゲートウェイSGWに送信するステップは、第二経路検出応答メッセージをPGWによってSGWに送信するステップであって、第二経路検出応答メッセージは第二過負荷指示情報を担持する、ステップを含む。
【０３５９】
選択的に、PGWの負荷状態にしたがって第二過負荷指示情報をPGWによって決定するステップは、PGWの負荷状態およびPGWに接続されたSGWの信号送信状態にしたがって、第二過負荷指示情報をPGWによって決定するステップを含む。
【０３６０】
選択的に、プログラムは、SGWが遅延タイマに関する情報および第一過負荷指示情報をモビリティ管理エンティティに送信するように、遅延タイマに関する情報をPGWによってSGWに送信するステップを、さらに含む。
【０３６１】
選択的に、過負荷制御ポリシーは、初期アクセスユーザの量を制限するステップ、モビリティ管理プロセスにおいて信号を遅延させるステップ、サービス要求プロセスにおいて信号を遅延させるステップ、またはセッション管理プロセスにおいて信号を遅延させるステップを含む。
【０３６２】
選択的に、第二過負荷指示情報は、過負荷制御ポリシーに関連付けられた指示または過負荷状態情報を含む。
【０３６３】
選択的に、第二過負荷指示情報は、過負荷制御率をさらに含む。
【０３６４】
選択的に、第二過負荷指示情報をPGWによって決定するステップの前に、プログラムは、SGWによって送信された第二制御信号メッセージをPGWによって受信するステップを、さらに含む。第二過負荷指示情報をPGWによって決定するステップは、遅延タイマに関する情報を含む第二制御信号応答メッセージとして第二過負荷指示情報をPGWによって決定するステップであって、第二過負荷指示情報は、第二制御信号と同じタイプを有する信号プロセスを過負荷制御ポリシーが制御していることを示唆する、ステップを含む。
【０３６５】
選択的に、遅延タイマに関する情報を含む第二制御信号応答メッセージとして第二過負荷指示情報をPGWによって決定するステップは、遅延タイマに関する情報および過負荷制御率を含む第二制御信号応答メッセージとして第二過負荷指示情報をPGWによって決定するステップを含む。
【０３６６】
本発明のこの実施形態において、過負荷制御ポリシーを指示するために使用される第二過負荷指示情報は、SGWが、モビリティ管理エンティティに送信されることになっていて過負荷制御ポリシーを指示するために使用される第一過負荷情報を、第二過負荷指示情報にしたがって決定するように、SGWに送信され、これによってPGWの過負荷に対する制御を実施し、装置過負荷によってもたらされる悪影響を回避することができ、したがって装置過負荷は効果的に制御されることが可能であることが、本発明のこの実施形態において提供される上記技術的解決法からわかるだろう。
【０３６７】
本発明のこの実施形態における用語「および／または」は関連する対象物を記載するための関連関係のみを記載し、3つの関係が存在できることを表すことは、理解されるべきである。たとえば、Aおよび／またはBは、以下の3つのケースを表す：Aのみが存在する、AおよびBの両方が存在する、およびBのみが存在する。加えて、本明細書における記号「／」は一般的に、関連する対象物間の「または」の関係を表す。
【０３６８】
当業者は、本明細書において開示される実施形態に記載された例と組み合わせて、ユニットおよびアルゴリズムステップが電子ハードウェア、コンピュータソフトウェア、またはこれらの組み合わせによって実施されてもよいことに、気がつくだろう。ハートウェアとソフトウェアとの間の互換性を明確に記載するために、上記は、機能に応じた各例の構成およびステップを、一般的に記載してきた。機能がハードウェアまたはソフトウェアのいずれに依存しているかは技術的解決法の特定の用途および設計制約条件に依存する。当業者は、各特定用途のために、記載された機能を実施するための異なる方法を使用してもよいが、しかしその実施は本発明の範囲を超えると見なされるべきはない。
【０３６９】
便利で簡潔な記載のため、上記システム、装置、およびユニットの詳細な作業プロセスについて、上記方法実施形態お対応するプロセスを参照すること、および詳細が本明細書内で再度記載されないことは、当業者によって明確に理解されるだろう。
【０３７０】
本明細書で提供されるいくつかの実施形態において、開示されたシステム、装置、および方法が別のやり方で実施されてもよいことは、理解されるべきである。たとえば、記載された装置実施形態は、例示的であるに過ぎない。たとえば、ユニット分割は単なる論理機能分割に過ぎず、実際の実施においては別の分割であってもよい。たとえば、複数のユニットまたは構成要素が組み合わせまたは統合されて別のシステムになってもよく、あるいはいくつかの特徴は無視されたり実行されなかったりしてもよい。加えて、表示または議論された相互結合または直接結合または通信接続は、いくつかのインターフェースを通じて実施されてもよい。装置またはユニット間の関節結合または通信接続は、電子的、機械的、またはその他の形態で実施されてもよい。
【０３７１】
個別の部品として記載されたユニットは、物理的に分離していてもいなくてもよく、ユニットとして表示された部品は物理的ユニットであってもなくてもよく、1箇所に位置していてもよく、あるいは複数のネットワークユニット上に分散していてもよい。ユニットの一部またはすべては、本発明の実施形態の解決法の目的を達成するための実際の必要性に応じて選択されてもよい。
【０３７２】
加えて、本発明の実施形態における機能ユニットは1つの処理ユニットとして統合されてもよく、あるいはユニットの各々は物理的に単独で存在してもよく、あるいは2つ以上のユニットが1つのユニットとして統合されてもよい。統合ユニットは、ハードウェアの形態で実施されてもよく、あるいはソフトウェア機能ユニットの形態で実施されてもよい。
【０３７３】
統合ユニットがソフトウェア機能ユニットの形態で実施され、独立した製品として販売または使用されるとき、統合ユニットは、コンピュータ可読記憶媒体に記憶されてもよい。このような理解に基づいて、本質的に本発明の技術的解決法、あるいは従来技術に寄与する部分、あるいは技術的解決法のすべてまたは一部は、ソフトウェア製品の形態で実施されてもよい。ソフトウェア製品は、記憶媒体に記憶され、本発明の実施形態に記載された方法のステップのすべてまたは一部を行うようにコンピュータ装置（パーソナルコンピュータ、サーバ、またはネットワーク装置であってもよい）に命令するための、いくつかの命令を含む。上記記憶媒体は：USBフラッシュドライブ、リムーバブルハードディスク、読み取り専用メモリ（ROM, Read-Only Memory）、ランダムアクセスメモリ（RAM, Random Access Memory）、磁気ディスク、または光ディスクなど、プログラムコードを記憶することが可能ないずれの媒体も含む。
【０３７４】
上記の記載は、本発明の特定の実施形態に過ぎないが、本発明の保護範囲を限定するように意図されるものではない。本発明において開示された技術的範囲内で当業者によって容易に想起されるいずれの変更または置き換えも、本発明の保護範囲に含まれるものとする。したがって、本発明の保護範囲は、請求項の保護範囲に依存するものとする。
【符号の説明】
【０３７５】
100  過負荷制御方法
800  過負荷制御方法
1500  過負荷制御方法
2400  ゲートウェイ装置
2410  決定モジュール
2420  送信モジュール
2500  モビリティ管理エンティティ
2510  受信モジュール
2520  処理モジュール
2600  PGW
2610  決定モジュール
2620  送信モジュール
2702  プロセッサ
2703  通信バス
2705  ネットワークインターフェース
2706  メモリ
27061  プログラム
2802  プロセッサ
2803  通信バス
2805  ネットワークインターフェース
2806  メモリ
28061  プログラム
2902  プロセッサ
2903  通信バス
2905  ネットワークインターフェース
2906  メモリ
29061  プログラム
【図１】
0006466411.tif 000002
【図２】
0006466411.tif 000003
【図３】
0006466411.tif 000004
【図４】
0006466411.tif 000005
【図５】
0006466411.tif 000006
【図６】
0006466411.tif 000007
【図７】
0006466411.tif 000008
【図８】
0006466411.tif 000009
【図９】
0006466411.tif 000010
【図１０】
0006466411.tif 000011
【図１１】
0006466411.tif 000012
【図１２】
0006466411.tif 000013
【図１３】
0006466411.tif 000014
【図１４】
0006466411.tif 000015
【図１５】
0006466411.tif 000016
【図１６】
0006466411.tif 000017
【図１７】
0006466411.tif 000018
【図１８】
0006466411.tif 000019
【図１９】
0006466411.tif 000020
【図２０】
0006466411.tif 000021
【図２１】
0006466411.tif 000022
【図２２】
0006466411.tif 000023
【図２３】
0006466411.tif 000024
【図２４】
0006466411.tif 000025
【図２５】
0006466411.tif 000026
【図２６】
0006466411.tif 000027
【図２７】
0006466411.tif 000028
【図２８】
0006466411.tif 000029
【図２９】
0006466411.tif 000030